(57)【特許請求の範囲】
【請求項１】
ドナー発展型ノードＢ（ｅＮＢ）からのベストエフォートリソーススケジューリングを要求するための方法であって、
被サービスユーザ機器(ＵＥ)の数の指示を少なくとも運用、アドミニストレーションおよび管理サーバに送信することと、
被サービスＵＥの前記数に少なくとも基づいて前記被サービスＵＥのためのベストエフォートトラフィックを通信するためにベアラを確立するための要求を送信することとを備え、
前記指示を前記送信することは、被サービスＵＥの前記数に対応するサービス品質クラス識別子を指定することを備える、方法。
【請求項２】
前記被サービスＵＥとの１つまたは複数のアクセスリンク上で前記ドナーｅＮＢに最大スループットの異なる指示を送信することをさらに備える、請求項１に記載の方法。
【請求項３】
前記ドナーｅＮＢに、１つまたは複数のアクセスリンクデータレートの異なる指示を送信することをさらに備える、請求項１に記載の方法。
【請求項４】
ドナー発展型ノードＢ（ｅＮＢ）からのベストエフォートリソーススケジューリングを要求するための装置であって、
少なくとも１つのプロセッサであって、
被サービスユーザ機器(ＵＥ)の数の指示を少なくとも運用、アドミニストレーションおよび管理サーバに送信することと、
被サービスＵＥの前記数に少なくとも基づいて前記被サービスＵＥのためのベストエフォートトラフィックを通信するためにベアラを確立するための要求を送信することとと
を行うように構成され、
前記指示は被サービスＵＥの前記数に対応するサービス品質クラス識別子を指定する、少なくとも１つのプロセッサと、
前記少なくとも１つのプロセッサに結合されたメモリとを備える、装置。
【請求項５】
前記少なくとも１つのプロセッサは、前記被サービスＵＥとの１つまたは複数のアクセスリンク上で前記ドナーｅＮＢに最大スループットの異なる指示を送信するようにさらに構成された、請求項４に記載の装置。
【請求項６】
前記少なくとも１つのプロセッサは、前記ドナーｅＮＢに、１つまたは複数のアクセスリンクデータレートの異なる指示を送信するようにさらに構成された、請求項４に記載の装置。
【請求項７】
ドナー発展型ノードＢ（ｅＮＢ）からのベストエフォートリソーススケジューリングを要求するための装置であって、
被サービスユーザ機器(ＵＥ)の数の指示を少なくとも運用、アドミニストレーションおよび管理サーバに送信するための手段と、
被サービスＵＥの前記数に少なくとも基づいて前記被サービスＵＥのためのベストエフォートトラフィックを通信するためにベアラを確立するための要求を送信するための手段とを備え、
前記指示を前記送信することは、被サービスＵＥの前記数に対応するサービス品質クラス識別子を指定することを備える、装置。
【請求項８】
前記被サービスＵＥとの１つまたは複数のアクセスリンク上で前記ドナーｅＮＢに最大スループットの異なる指示を送信するための手段をさらに備える、請求項７に記載の装置。
【請求項９】
前記ドナーｅＮＢに、１つまたは複数のアクセスリンクデータレートの異なる指示を送信するための手段をさらに備える、請求項７に記載の装置。
【請求項１０】
ドナー発展型ノードＢ（ｅＮＢ）からのベストエフォートリソーススケジューリングを要求するためのコンピュータプログラムを記憶したコンピュータ可読記憶媒体であって、
被サービスユーザ機器(ＵＥ)の数の指示を少なくとも運用、アドミニストレーションおよび管理サーバに送信することを少なくとも１つのコンピュータに行わせるためのコードと、
被サービスＵＥの前記数に少なくとも基づいて前記被サービスＵＥのためのベストエフォートトラフィックを通信するためにベアラを確立するための要求を送信することを前記少なくとも１つのコンピュータに行わせるためのコードと
を備え、
前記指示を送信することを前記少なくとも１つのコンピュータに行わせるための前記コードが、被サービスＵＥの前記数に対応するサービス品質クラス識別子を指定する、コンピュータ可読記憶媒体。
【請求項１１】
前記被サービスＵＥとの１つまたは複数のアクセスリンク上で前記ドナーｅＮＢに最大スループットの異なる指示を送信することを前記少なくとも１つのコンピュータに行わせるためのコードをさらに備える、請求項１０に記載のコンピュータ可読記憶媒体。
【請求項１２】
前記ドナーｅＮＢに、１つまたは複数のアクセスリンクデータレートの異なる指示を送信することを前記少なくとも１つのコンピュータに行わせるためのコードをさらに備える、請求項１０に記載のコンピュータ可読記憶媒体。
【請求項１３】
１つまたは複数のリレー発展型ノードＢ（ｅＮＢ）のためにベストエフォートリソースを割り当てるための方法であって、
リレーｅＮＢからベストエフォートベアラについての要求を受信することであって、前記要求は運用、アドミニストレーションおよび管理サーバを介して受信される、受信することと、
前記要求において指定されたサービス品質クラス識別子を取得することに少なくとも基づいて、前記リレーｅＮＢによってサービスされるＵＥの数を決定することと、
ＵＥの前記数だけ前記リレーｅＮＢの履歴スループットをディスカウントすることと、
前記ディスカウントされた履歴スループットに少なくとも基づいて前記リレーｅＮＢに前記ベストエフォートベアラのためのリソースを割り当てることとを備える、方法。
【請求項１４】
ＵＥの前記数を前記決定することは、運用、アドミニストレーションおよび管理サーバからのＵＥの前記数を要求することに少なくとも基づく、請求項１３に記載の方法。
【請求項１５】
前記リレーｅＮＢから受信されたパケットまたは前記リレーｅＮＢに送信されるパケット中の異なる識別子の数を決定するために前記パケットを検査することをさらに備え、ＵＥの前記数を前記決定することは、異なる識別子の前記数を決定することに少なくとも基づく、請求項１３に記載の方法。
【請求項１６】
前記リレーｅＮＢから最大スループットを受信することをさらに備え、前記リソースを前記割り当てることは、前記最大スループットに少なくともさらに基づく、請求項１３に記載の方法。
【請求項１７】
前記リレーｅＮＢから１つまたは複数のアクセスリンクデータレートを受信することをさらに備え、前記リソースを前記割り当てることは、前記１つまたは複数のアクセスリンクデータレートに少なくともさらに基づく、請求項１３に記載の方法。
【請求項１８】
１つまたは複数のリレー発展型ノードＢ（ｅＮＢ）のためにベストエフォートリソースを割り当てるための装置であって、
少なくとも１つのプロセッサであって、
リレーｅＮＢからベストエフォートベアラについての要求を受信することであって、前記要求は運用、アドミニストレーションおよび管理サーバを介して受信される、受信することと、
前記要求において指定されたサービス品質クラス識別子を決定することに少なくとも基づいて、前記リレーｅＮＢによってサービスされるＵＥの数を決定することと、
ＵＥの前記数だけ前記リレーｅＮＢの履歴スループットをディスカウントすることと、
前記ディスカウントされた履歴スループットに少なくとも基づいて前記リレーｅＮＢに前記ベストエフォートベアラのためのリソースを割り当てることと
を行うように構成された少なくとも１つのプロセッサと、
前記少なくとも１つのプロセッサに結合されたメモリとを備える、装置。
【請求項１９】
前記少なくとも１つのプロセッサは、運用、アドミニストレーションおよび管理サーバからのＵＥの前記数を要求することに少なくとも基づいてＵＥの前記数を決定する、請求項１８に記載の装置。
【請求項２０】
前記少なくとも１つのプロセッサは、前記リレーｅＮＢから受信されたパケットまたは前記リレーｅＮＢに送信されるパケット中の異なる識別子の数を決定するために前記パケットを検査するようにさらに構成され、前記少なくとも１つのプロセッサは、異なる識別子の前記数に少なくとも基づいてＵＥの前記数を決定する、請求項１８に記載の装置。
【請求項２１】
前記少なくとも１つのプロセッサは、前記リレーｅＮＢから最大スループットを受信するようにさらに構成され、前記少なくとも１つのプロセッサは、前記最大スループットに少なくともさらに基づいて前記リソースを割り当てる、請求項１８に記載の装置。
【請求項２２】
前記少なくとも１つのプロセッサは、前記リレーｅＮＢから１つまたは複数のアクセスリンクデータレートを受信するようにさらに構成され、前記少なくとも１つのプロセッサは、前記１つまたは複数のアクセスリンクデータレートに少なくともさらに基づいて前記リソースを割り当てる、請求項１８に記載の装置。
【請求項２３】
１つまたは複数のリレー発展型ノードＢ（ｅＮＢ）のためにベストエフォートリソースを割り当てるための装置であって、
リレーｅＮＢからベストエフォートベアラについての要求を受信するための手段であって、前記要求は運用、アドミニストレーションおよび管理サーバを介して受信される、受信するための手段と、
前記要求において指定されたサービス品質クラス識別子を決定することに少なくとも基づいて、前記リレーｅＮＢによってサービスされるＵＥの数を決定するための手段と、
前記リレーｅＮＢによってサービスされるＵＥの前記数に基づいて前記リレーｅＮＢの履歴スループットをディスカウントすることに少なくとも基づいて前記リレーｅＮＢに前記ベストエフォートベアラのためのリソースを割り当てるための手段とを備える、装置。
【請求項２４】
決定するための前記手段は、運用、アドミニストレーションおよび管理サーバからのＵＥの前記数を要求することに少なくとも基づいてＵＥの前記数を決定する、請求項２３に記載の装置。
【請求項２５】
決定するための前記手段は、前記リレーｅＮＢから受信されたパケットまたは前記リレーｅＮＢに送信されるパケット中の異なる識別子の数を決定するために前記パケットを検査し、異なる識別子の前記数に少なくとも基づいてＵＥの前記数を決定する、請求項２３に記載の装置。
【請求項２６】
前記リレーｅＮＢから最大スループットを受信するための手段をさらに備え、割り当てるための前記手段は、前記最大スループットに少なくともさらに基づいて前記リソースを割り当てる、請求項２３に記載の装置。
【請求項２７】
前記リレーｅＮＢから１つまたは複数のアクセスリンクデータレートを受信するための手段をさらに備え、割り当てるための前記手段は、前記１つまたは複数のアクセスリンクデータレートに少なくともさらに基づいて前記リソースを割り当てる、請求項２３に記載の装置。
【請求項２８】
１つまたは複数のリレー発展型ノードＢ（ｅＮＢ）のためにベストエフォートリソースを割り当てるためのコンピュータプログラムを記憶したコンピュータ可読記憶媒体であって、
リレーｅＮＢからベストエフォートベアラについての要求を受信することを少なくとも１つのコンピュータに行わせるためのコードであって、前記要求は運用、アドミニストレーションおよび管理サーバを介して受信される、受信することを少なくとも１つのコンピュータに行わせるためのコードと、
前記要求において指定されたサービス品質クラス識別子を決定することに少なくとも基づいて、前記リレーｅＮＢによってサービスされるＵＥの数を決定することを前記少なくとも１つのコンピュータに行わせるためのコードと、
ＵＥの前記数だけ前記リレーｅＮＢの履歴スループットをディスカウントすることを前記少なくとも１つのコンピュータに行わせるためのコードと、
前記ディスカウントされた履歴スループットに少なくとも基づいて前記リレーｅＮＢに前記ベストエフォートベアラを割り当てることを前記少なくとも１つのコンピュータに行わせるためのコードと
を備えるコンピュータ可読記憶媒体。
【請求項２９】
決定することを前記少なくとも１つのコンピュータに行わせるための前記コードは、運用、アドミニストレーションおよび管理サーバからのＵＥの前記数を要求することに少なくとも基づいてＵＥの前記数を決定する、請求項２８に記載のコンピュータ可読記憶媒体。
【請求項３０】
前記リレーｅＮＢから受信されたパケットまたは前記リレーｅＮＢに送信されるパケット中の異なる識別子の数を決定するために前記パケットを検査することを前記少なくとも１つのコンピュータに行わせるためのコードをさらに備え、決定することを前記少なくとも１つのコンピュータに行わせるための前記コードは、異なる識別子の前記数に少なくとも基づいてＵＥの前記数を決定する、請求項２８に記載のコンピュータ可読記憶媒体。
【請求項３１】
前記リレーｅＮＢから最大スループットを受信することを前記少なくとも１つのコンピュータに行わせるためのコードをさらに備え、割り当てることを前記少なくとも１つのコンピュータに行わせるための前記コードは、前記最大スループットに少なくともさらに基づいて前記リソースを割り当てる、請求項２８に記載のコンピュータ可読記憶媒体。
【請求項３２】
前記リレーｅＮＢから１つまたは複数のアクセスリンクデータレートを受信することを前記少なくとも１つのコンピュータに行わせるためのコードをさらに備え、割り当てることを前記少なくとも１つのコンピュータに行わせるための前記コードは、前記１つまたは複数のアクセスリンクデータレートに少なくともさらに基づいて前記リソースを割り当てる、請求項２８に記載のコンピュータ可読記憶媒体。
【発明の詳細な説明】
【技術分野】
【０００１】
米国特許法第１１９条による優先権の主張
本特許出願は、本出願の譲受人に譲渡され、参照により本明細書に明確に組み込まれる、２０１１年４月４日に出願された「APPARATUS AND METHOD FOR BEST EFFORT TRAFFIC SCHEDULING WITH RELAYS」と題する仮出願第６１／４７１，６０９号の優先権を主張する。
【０００２】
以下の説明は、一般にワイヤレスネットワーク通信に関し、より詳細には、リレーを採用するネットワークにおいてベストエフォートトラフィックをスケジュールすることに関する。
【背景技術】
【０００３】
ワイヤレス通信システムは、たとえば、ボイス、データなどの様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、これらのシステムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、（たとえば、３ＧＰＰ  ＬＴＥ（Ｌｏｎｇ  Ｔｅｒｍ  Ｅｖｏｌｕｔｉｏｎ）／ＬＴＥ−Ａｄｖａｎｃｅｄ）、Ｕｌｔｒａ  Ｍｏｂｉｌｅ  Ｂｒｏａｄｂａｎｄ（ＵＭＢ）、Ｅｖｏｌｕｔｉｏｎ  Ｄａｔａ  Ｏｐｔｉｍｉｚｅｄ（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。
【０００５】
さらに、基地局カバレージの拡張、通信スループットの改善などのために、いくつかのワイヤレス通信システムではリレーが使用され得る。たとえば、リレーは、（ほとんどデバイスのように）基地局からリソースを割り当てられ得、（ほとんど基地局のように）デバイスにリソースを割り当てることができる。基地局によって割り当てられたリソース上で基地局から通信を受信すると、リレーは、リレーによって１つまたは複数の意図されたデバイスに割り当てられたリソース上でそれらのデバイスに通信を送信することができ、その逆も同様である。リレーは、意図されたデバイスまたは基地局に送信する前に、受信された信号の復号／符号化を実行することができる。リレーは、所与の時間にリレーが基地局から信号を受信するかまたはデバイスに送信するが一般にその両方を行わない半二重モード、あるいはリレーが同時に（たとえば、同じ周波数帯域において）送信および受信することができる全二重モードで動作することができる。
【０００６】
ドナー基地局と呼ばれることがある、リレーをサービスする基地局は、それがデバイスであるかのようにリレーをスケジュールする。保証ビットレート（ＧＢＲ：guaranteed bit rate）トラフィックの場合、リレーは、リレーとそれぞれのデバイスとの間に確立されるＧＢＲベアラに対応するＧＢＲベアラをドナー基地局と確立することができる。非ＧＢＲまたはベストエフォート（ＢＥ：best effort）トラフィックの場合、接続ごとにドナー基地局との単一のベアラが可能にされる（たとえば、サービスされるデバイスの数にかかわらず、リレーのために１つのベアラが可能にされる）。リレーによってサービスされるデバイスに関する情報はドナー基地局において入手可能でなく、したがって、非ＧＢＲまたはベストエフォートトラフィックの場合、リレー（およびリレーによってサービスされるデバイス）は、ドナー基地局と直接通信しているデバイス、別の数のデバイスをサービスしている別のリレーなどと同様のリソース量を割り当てられ得る。これでは、ベストエフォートトラフィックをスケジュールするためのデバイスの間の比例公平性（proportional fairness）が達成できないことがある。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。それの唯一の目的は、後で提示するより詳細な説明の導入として、１つまたは複数の態様のいくつかの概念を簡略化された形で提示することである。
【０００８】
１つまたは複数の態様およびそれの対応する開示に従って、本開示では、リレーが採用されたベストエフォート（ＢＥ）トラフィックスケジューリングの比例公平性をドナー基地局が維持することを可能にすることに関する様々な態様について説明する。たとえば、ドナー基地局は、リレーのためのリソース割振りを決定するために、リレーによってサービスされるデバイスの数を決定することができる。一例では、リレーは、様々な機構を通してドナー基地局にサービスされるデバイスのカウントを示すことができる。別の例では、ドナー基地局は、（たとえば、パケット中の加入者識別子などに基づいて）リレーによってサービスされるデバイスの数を決定するために、リレーから受信されたパケットを検査することができる。これらの例では、ドナー基地局は、サービスされるデバイスの知られている数に基づいてリレーにＢＥリソースをスケジュールすることができる。他の例では、リレーは、リレーの被サービスデバイスのＢＥトラフィックをサービスするために保証ビットレート（ＧＢＲ）ベアラをドナー基地局に要求することができ、デバイスの数および／またはデバイスの比例ビットレートの推定に従って要求ビットレートを示すことができる。
【０００９】
一例によれば、ドナー発展型ノードＢ（ｅＮＢ）からのベストエフォートリソーススケジューリングを要求するための方法が提供される。本方法は、被サービスユーザ機器（ＵＥ）の数の指示を送信することと、被サービスＵＥの数に少なくとも部分的に基づいて被サービスＵＥのためのベストエフォートトラフィックを通信するためにベアラを確立ために要求を送信することとを含む。
【００１０】
別の態様では、ドナーｅＮＢからのベストエフォートリソーススケジューリングを要求するための装置が提供される。本装置は、被サービスＵＥの数の指示を送信することと、被サービスＵＥの数に少なくとも部分的に基づいて被サービスＵＥのためのベストエフォートトラフィックを通信するためにベアラを確立するために要求を送信することとを行うように構成された少なくとも１つのプロセッサを含む。本装置はさらに、少なくとも１つのプロセッサに結合されたメモリを含む。
【００１１】
さらに別の態様では、ドナーｅＮＢからのベストエフォートリソーススケジューリングを要求するための装置が提供される。本装置は、被サービスＵＥの数の指示を送信するための手段と、被サービスＵＥの数に少なくとも部分的に基づいて被サービスＵＥのためのベストエフォートトラフィックを通信するためにベアラを確立するために要求を送信するための手段とを含む。
【００１２】
さらに、別の態様では、ドナーｅＮＢからのベストエフォートリソーススケジューリングを要求するためのコンピュータプログラム製品であって、被サービスＵＥの数の指示を送信することを少なくとも１つのコンピュータに行わせるためのコードを有する非一時的コンピュータ可読媒体を含むコンピュータプログラム製品が提供される。コンピュータ可読媒体はさらに、被サービスＵＥの数に少なくとも部分的に基づいて被サービスＵＥのためのベストエフォートトラフィックを通信するためにベアラを確立するために要求を送信することを少なくとも１つのコンピュータに行わせるためのコードを含む。
【００１３】
その上、一態様では、ドナーｅＮＢからのベストエフォートリソーススケジューリングを要求するための装置であって、被サービスＵＥの数の指示を送信するための接続数指示構成要素を含む装置が提供される。本装置はさらに、被サービスＵＥの数に少なくとも部分的に基づいて被サービスＵＥのためのベストエフォートトラフィックを通信するためにベアラを確立するために要求を送信するためのベアラ要求構成要素を含む。
【００１４】
別の例によれば、ドナーｅＮＢからのベストエフォートリソーススケジューリングを要求するための方法が提供される。本方法は、ドナーｅＮＢとのベストエフォートトラフィックに関係する１つまたは複数のパラメータを決定することと、それらの１つまたは複数のパラメータと被サービスＵＥの数とに基づいてデータレートを指定する、ドナーｅＮＢからのＧＢＲベアラを要求することとを含む。
【００１５】
別の態様では、ドナーｅＮＢからのベストエフォートリソーススケジューリングを要求するための装置が提供される。本装置は、ドナーｅＮＢとのベストエフォートトラフィックに関係する１つまたは複数のパラメータを決定することと、それらの１つまたは複数のパラメータと被サービスＵＥの数とに基づいてデータレートを指定する、ドナーｅＮＢからのＧＢＲベアラを要求することとを行うように構成された少なくとも１つのプロセッサを含む。本装置はさらに、少なくとも１つのプロセッサに結合されたメモリを含む。
【００１６】
さらに別の態様では、ドナーｅＮＢからのベストエフォートリソーススケジューリングを要求するための装置であって、ドナーｅＮＢとのベストエフォートトラフィックに関係する１つまたは複数のパラメータを決定するための手段を含む装置が提供される。本装置はまた、１つまたは複数のパラメータと被サービスＵＥの数とに基づいてデータレートを指定する、ドナーｅＮＢからのＧＢＲベアラを要求するための手段を含む。
【００１７】
さらに、別の態様では、ドナーｅＮＢからのベストエフォートリソーススケジューリングを要求するためのコンピュータプログラム製品であって、ドナーｅＮＢとのベストエフォートトラフィックに関係する１つまたは複数のパラメータを決定することを少なくとも１つのコンピュータに行わせるためのコードを有する非一時的コンピュータ可読媒体を含むコンピュータプログラム製品が提供される。コンピュータ可読媒体はさらに、１つまたは複数のパラメータと被サービスＵＥの数とに基づいてデータレートを指定する、ドナーｅＮＢからのＧＢＲベアラを要求することを少なくとも１つのコンピュータに行わせるためのコードを含む。
【００１８】
その上、一態様では、ドナーｅＮＢからのベストエフォートリソーススケジューリングを要求するための装置が提供される。本装置は、ドナーｅＮＢとのベストエフォートトラフィックに関係する１つまたは複数のパラメータを決定するためのベストエフォートスループット決定構成要素と、それらの１つまたは複数のパラメータと被サービスＵＥの数とに基づいてデータレートを指定する、ドナーｅＮＢからの保証ビットレート（ＧＢＲ）ベアラを要求するためのベアラ要求構成要素とを含む。
【００１９】
別の例では、１つまたは複数のリレーｅＮＢのためのベストエフォートリソースを割り当てるための方法が提供される。本方法は、リレーｅＮＢからベストエフォートベアラについての要求を受信することと、リレーｅＮＢによってサービスされるＵＥの数を決定することとを含む。本方法はさらに、ＵＥの数だけリレーｅＮＢの履歴スループットをディスカウントすることと、ディスカウントされた履歴スループットに少なくとも部分的に基づいてリレーｅＮＢにベストエフォートベアラのためのリソースを割り当てることとを含む。
【００２０】
別の態様では、１つまたは複数のリレーｅＮＢのためのベストエフォートリソースを割り当てるための装置が提供される。本装置は、リレーｅＮＢからベストエフォートベアラについての要求を受信することと、リレーｅＮＢによってサービスされるＵＥの数を決定することとを行うように構成された少なくとも１つのプロセッサを含む。少なくとも１つのプロセッサはさらに、ＵＥの数だけリレーｅＮＢの履歴スループットをディスカウントすることと、ディスカウントされた履歴スループットに少なくとも部分的に基づいてリレーｅＮＢにベストエフォートベアラのためのリソースを割り当てることとを行うように構成される。本装置はさらに、少なくとも１つのプロセッサに結合されたメモリを含む。
【００２１】
さらに別の態様では、１つまたは複数のリレーｅＮＢのためのベストエフォートリソースを割り当てるための装置であって、リレーｅＮＢからベストエフォートベアラについての要求を受信するための手段と、リレーｅＮＢによってサービスされるＵＥの数を決定するための手段とを含む装置が提供される。本装置はさらに、リレーｅＮＢによってサービスされるＵＥの数に基づいてリレーｅＮＢの履歴スループットをディスカウントすることに少なくとも部分的に基づいてリレーｅＮＢにベストエフォートベアラのためのリソースを割り当てるための手段を含む。
【００２２】
さらに、別の態様では、１つまたは複数のリレーｅＮＢのためのベストエフォートリソースを割り当てるためのコンピュータプログラム製品であって、リレーｅＮＢからベストエフォートベアラについての要求を受信することを少なくとも１つのコンピュータに行わせるためのコードと、リレーｅＮＢによってサービスされるＵＥの数を決定することを少なくとも１つのコンピュータに行わせるためのコードとを有する非一時的コンピュータ可読媒体を含むコンピュータプログラム製品が提供される。コンピュータ可読媒体はさらに、ＵＥの数だけリレーｅＮＢの履歴スループットをディスカウントすることを少なくとも１つのコンピュータに行わせるためのコードと、ディスカウントされた履歴スループットに少なくとも部分的に基づいてリレーｅＮＢにベストエフォートベアラを割り当てることを少なくとも１つのコンピュータに行わせるためのコードとを含む。
【００２３】
その上、一態様では、１つまたは複数のリレーｅＮＢのためのベストエフォートリソースを割り当てるための装置であって、リレーｅＮＢからベストエフォートベアラについての要求を受信するためのベアラ確立構成要素と、リレーｅＮＢによってサービスされるＵＥの数を決定するための接続カウント決定構成要素とを含む装置が提供される。本装置はさらに、リレーｅＮＢによってサービスされるＵＥの数に基づいてリレーｅＮＢの履歴スループットをディスカウントすることに少なくとも部分的に基づいてリレーｅＮＢにベストエフォートベアラのためのリソースを割り当てるためのベストエフォートトラフィックスケジューリング構成要素を含む。
【００２４】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２５】
以下で、開示する態様を説明するために、および開示する態様を限定しないように提供された添付の図面とともに、開示する態様について説明する。図中、同様の表示は同様の要素を示す。
【図面の簡単な説明】
【００２６】
【図１】ワイヤレス通信においてリレーを採用するシステムの一態様のブロック図。
【図２】リレーにリソースを割り当てる際にリレーによってサービスされるユーザ機器（ＵＥ）の数を決定するためのシステムの一態様のブロック図。
【図３】ベストエフォート（ＢＥ）トラフィックについてドナー発展型ノードＢ（ｅＮＢ）に保証ビットレート（ＧＢＲ）ベアラを要求するためのシステムの一態様のブロック図。
【図４】被サービスＵＥの数に基づいてリレーにリソースを割り当てるためのシステムの一態様のブロック図。
【図５】被サービスＵＥの指示された数に基づいてベアラを確立するための方法の一態様のフローチャート。
【図６】ＢＥトラフィックを処理するためにＧＢＲベアラを要求するための方法の一態様のフローチャート。
【図７】被サービスＵＥの数に基づいてリレーにリソースを割り当てるための方法の一態様のフローチャート。
【図８】最大スループットに基づいてリレーにリソースを割り当てるための方法の一態様のフローチャート。
【図９】１つまたは複数のアクセスリンクデータレートに基づいてリレーにリソースを割り当てるための方法の一態様のフローチャート。
【図１０】本明細書で説明する態様によるリレーまたはドナーｅＮＢの一態様のブロック図。
【図１１】被サービスＵＥの指示された数に基づいてベアラを確立するシステムの一態様のブロック図。
【図１２】ＢＥトラフィックを処理するためにＧＢＲベアラを要求するシステムの一態様のブロック図。
【図１３】被サービスＵＥの数に基づいてリレーにリソースを割り当てるシステムの一態様のブロック図。
【図１４】本明細書に記載する様々な態様によるワイヤレス通信システムの一態様のブロック図。
【図１５】本明細書で説明する様々なシステムおよび方法とともに採用され得るワイヤレスネットワーク環境の一態様の概略ブロック図。
【詳細な説明】
【００２７】
次に、図面を参照しながら様々な態様について説明する。以下の説明では、説明のために、１つまたは複数の態様の完全な理解を与えるために多数の具体的な詳細を記載する。ただし、そのような（１つまたは複数の）態様は、これらの具体的な詳細なしに実施され得ることは明らかであろう。
【００２８】
本明細書では、デバイスのためのベストエフォート（ＢＥ）スケジューリングの比例公平性が維持されることを可能にするために、リレーを採用するワイヤレスネットワークにおいてデバイスにリソースをスケジュールすることに関係する様々な態様について説明する。いくつかの例では、リレーをサービスするドナー基地局は、リレーがサービスするデバイスの数を決定することができる。これは、たとえば、リレーからの指示を通して（たとえば、明示的シグナリングを使用すること、実際のカウント、範囲など、何らかのレベルのカウントを示すためにサービス品質（ＱｏＳ）クラスインジケータ（ＱＣＩ）を使用すること、運用、アドミニストレーション、および保守（ＯＡＭ：operations, administration, and maintenance）機能を使用してカウントを示すことなどによって）行われ得る。他の例では、ドナー基地局は、カウントを他の方法で（たとえば、パケット中の異なるデバイス識別子の数を決定するためにリレーからのパケットを検査することによって）決定することができる。いずれの場合も、ドナー基地局は、それがサービスする各リレーにリソースを割り当てるためにデバイスの数を利用して、リレーおよびリレーと通信するデバイスの間のＢＥトラフィックをスケジュールする際の比例公平性を維持することができる。
【００２９】
他の例では、リレーは、リソースの公平な分配を保証するために、それのＢＥトラフィックについてドナー基地局からの保証ビットレート（ＧＢＲ）ベアラ割当てを要求することができる。この例では、リレーは、１つまたは複数のデバイスとのそれのＢＥベアラについて初期ＧＢＲベアラを要求し、ＢＥベアラをプローブしてスループットを決定し、それに応じて、ＧＢＲベアラのための最終要求スループットを設定してＢＥベアラを処理することができる。その上、いくつかの例では、リレーは、リレーによってサービスされるデバイスのためのリソース割振りを決定するためにも使用され得る、バックホールスループットおよび／または１つまたは複数のアクセスリンクデータレートに関する情報をドナー基地局に提供することができる。いずれの場合も、ワイヤレスネットワークにおいてリレーが採用される場合に、ＢＥトラフィックについて比例的に公平なスケジューリングがデバイスのために達成される。
【００３０】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関係のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００３１】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、モバイル端末、端末、通信デバイス、ユーザエージェント、ユーザデバイス、またはユーザ機器（ＵＥ）と呼ばれることもある。ワイヤレス端末は、セルラー電話、スマートフォン、衛星フォン、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、タブレット、スマートブック、ネットブック、またはワイヤレスモデムに接続された他の処理デバイスなどであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００３２】
さらに、「または」という用語は、排他的な「または」ではなく、包括的な「または」を意味するものとする。すなわち、別段に規定されていない限り、または文脈から明らかでない限り、「ＸはＡまたはＢを使用する」という句は、自然包括的並べ替えのいずれかを意味するものとする。すなわち、「ＸはＡまたはＢを使用する」という句は、以下の場合、すなわち、ＸがＡを使用する場合、ＸがＢを使用する場合、またはＸがＡとＢの両方を使用する場合のうちのいずれかによって満足される。さらに、本出願と添付の特許請求の範囲とにおいて使用する冠詞「ａ」および「ａｎ」は、別段に規定されていない限り、または単数形を対象とすることが文脈から明らかでない限り、概して「１つまたは複数」を意味するものと解釈されるべきである。
【００３３】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）（登録商標）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥ／ＬＴＥ−ＡｄｖａｎｃｅｄおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００３４】
いくつかのデバイス、構成要素、モジュールなどを含み得るシステムに関する様々な態様または特徴が提示される。様々なシステムは、追加のデバイス、構成要素、モジュールなどを含み得、および／または各図に関連して論じるデバイス、構成要素、モジュールなどのすべてを含むとは限らないことを理解および諒解されたい。これらの手法の組合せも使用され得る。
【００３５】
図１を参照すると、ドナーｅＮＢのカバレージを拡張するためにリレーｅＮＢを利用することを可能にするワイヤレス通信システム１００が示されている。システム１００は、リレーｅＮＢ１０４および１０６などの１つまたは複数のリレーｅＮＢ、ＵＥ１０８などのＵＥなどにワイヤレスネットワークアクセスを与えることができるドナーｅＮＢ１０２を含むことができる。リレーｅＮＢ１０４および１０６、ならびにＵＥ１０８は、ドナーｅＮＢ１０２と通信するためにドナーｅＮＢ１０２からリソースを取得することができる。さらに、ＵＥ１１０および１１２が、ドナーｅＮＢ１０２にアクセスするために、同様にリレーｅＮＢ１０４からリソースを取得することによってリレーｅＮＢ１０４によってサービスされる。ＵＥ１１４、１１６、および１１８がまた、同様にリレーｅＮＢ１０６にリソースを要求することによってリレーｅＮＢ１０６からワイヤレスネットワークアクセスを受信することができる。ドナーｅＮＢ１０２は、１つまたは複数のコアワイヤレスネットワーク構成要素と通信する、マクロセル、フェムトセル、ピコセル、または同様の基地局、モバイル基地局、Ｗｉ−Ｆｉホットスポット、それらの部分など、実質的に任意のアクセスポイントであり得る。リレーｅＮＢ１０４および１０６はそれぞれ、ドナーｅＮＢ１０２にワイヤードまたはワイヤレスに結合された移動または固定のリレーｅＮＢ、たとえば、（たとえば、ＵＥ１１０、１１２、１１４、１１６、および１１８などとピアツーピアまたはアドホックモードで通信する）ＵＥなどであり得る。ＵＥ１１０、１１２、１１４、１１６、および１１８はそれぞれ、モバイルデバイス、モデム（または他のテザーデバイス）、それらの部分などであり得る。
【００３６】
一例では、リレーｅＮＢ１０４および１０６は、ワイヤードまたはワイヤレスバックホールリンク上でドナーｅＮＢ１０２と（たとえば、および／または互いに）通信することができる。さらに、リレーｅＮＢ１０４および１０６は、ワイヤレス（またはワイヤード）アクセスリンク上でそれぞれのＵＥ１１０、１１２、１１４、１１６、および１１８と通信することができる。リレーｅＮＢ１０４および１０６は、所与の時間間隔にリレーｅＮＢ１０４および１０６が送信または受信しているがその両方を行わない、リレーｅＮＢ１０４および１０６がある時間間隔においてドナーｅＮＢ１０２から信号を受信し、別の時間間隔において通信を再送信するような、半二重リレーであり得る。したがって、半二重リレーの場合、所与の時点に、バックホールリンクまたはアクセスリンクのみがアクティブである。別の例では、リレーｅＮＢ１０４および１０６は、リレーｅＮＢ１０４および１０６が同じ時間間隔においてドナーｅＮＢ１０２から信号を受信し、それらの信号または他の信号を再送信することができるような、全二重であり得る。したがって、全二重リレーの場合、同じ時間においてバックホールリンクとアクセスリンクの両方がアクティブであり得る。
【００３７】
一例によれば、リレーｅＮＢ１０４および１０６、ならびにＵＥ１０８は、ＢＥトラフィックおよび／または（ＱｏＳトラフィックとも呼ばれる）ＧＢＲトラフィックに対応するリソースをドナーｅＮＢ１０２に要求することができる。たとえば、リレーｅＮＢ１０４および１０６は、それぞれ、ＵＥ１１０、１１２、１１４、１１６、および１１８から受信された要求に基づいてリソースを要求することができる。この点について、ドナーｅＮＢ１０２は、ＧＢＲトラフィックを許可した後に残されたリソースを使用してＢＥトラフィックをスケジュールすることができる。別の例では、ドナーｅＮＢ１０２は、（非ＧＢＲとも呼ばれる）ＢＥトラフィックのためにリソースの一部分を予約することができる。いずれの場合も、ドナーｅＮＢ１０２は、与えられたリソースの間のＵＥに対する比例公平性を保証する１つまたは複数のアルゴリズムに従ってＢＥトラフィックをスケジュールすることができる。
【００３８】
たとえば、ドナーｅＮＢ１０２は、ＵＥがある時間期間にわたって同様のデータレートを達成することを可能にするリソースの一部分を与えることができる。一例では、リソースの一部分は、特定のＵＥの所与のチャネル状態を変化させることができる。ただし、ドナーｅＮＢ１０２にはリレーｅＮＢ１０４およびリレーｅＮＢ１０６が１つのＵＥとして見え得るので、リレーｅＮＢ１０４およびリレーｅＮＢ１０６に与えられるリソースは、リレーｅＮＢ１０４、リレーｅＮＢ１０６、ＵＥ１０８、およびドナーｅＮＢ１０２と通信する他のＵＥの間であらかじめ比例していることがあり得る。本明細書では、ＵＥ１０８、１１０、１１２、１１４、１１６、および１１８の間で比例公平性により近接して整合されたリソースの割振りを達成するための様々な機構について説明する。
【００３９】
したがって、一例では、ドナーｅＮＢ１０２は、所与のリレーｅＮＢによってサービスされるＵＥの数を決定することができ、そのＵＥの数に基づいて所与のリレーにおけるＢＥトラフィックのためのリソース割振りを計算することができる。一例では、リレーｅＮＢ１０４および１０６、あるいは１つまたは複数の他のネットワークノードが、それらと通信しているＵＥの数をドナーｅＮＢ１０２に通知することができる。たとえば、これは、ドナーｅＮＢ１０２への明示的シグナリングで示すこと、ＱＣＩなど、１つまたは複数の既存のパラメータを使用して数またはそれの表現を示すこと、ドナーｅＮＢ１０２が数をそれから取得することができるＯＡＭに数を示すことなどを含むことができる。別の例では、ドナーｅＮＢ１０２は、パケット中で受信された異なる加入識別子または他の識別子の数を計数するためにパケット検査を使用して、リレーｅＮＢによってサービスされるＵＥの数を決定することができる。いずれの場合も、たとえば、ドナーｅＮＢ１０２が履歴スループットに基づいてＢＥリソースをスケジュールするスケジューリングアルゴリズムを利用する場合、ドナーｅＮＢ１０２は、ＵＥの数を利用して、対応するｅＮＢ１０４および／または１０６の履歴スループットをディスカウントすることができる。したがって、スケジューリングアルゴリズムの変更は必要とされない。
【００４０】
その上、たとえば、リレーｅＮＢ１０４および１０６は、それぞれのＵＥ１１０および１１２、またはＵＥ１１４、１１６、および１１８のＢＥトラフィックのためのＧＢＲベアラを要求することができる。この点について、たとえば、リレーｅＮＢ１０４は、ＵＥ１１０および１１２の各々に割り当てるためのＢＥリソースの公平な比例を計算することができ、リソースの公平な比例を与えるドナーｅＮＢ１０２とのＧＢＲベアラを要求することができる。したがって、この例では、初期状態において、リレーｅＮＢ１０４は、ＵＥ１１０またはＵＥ１１２のうちの１つとの非ＧＢＲベアラをサービスするためにドナーｅＮＢ１０２との非ＧＢＲベアラを使用することができ、比例的に公平なリソース割振りのデータレートを決定するためにそのベアラを監視することができる。このデータレートを使用して、たとえば、リレーｅＮＢ１０４は、したがって、ＵＥの数（たとえば、この例では２）で乗算された、決定された比例的に公平なデータレートのレートでＧＢＲをドナーｅＮＢ１０２に要求することができる。さらに、要求されたＧＢＲによって生じるスループット低減をなくすために、１つまたは複数の状態において、要求されたＧＢＲのデータレートが修正され得る。
【００４１】
次に図２を参照すると、リレーと通信しているＵＥのためにＢＥリソースを割り当てることを可能にする例示的なワイヤレス通信システム２００が示されている。システム２００は、説明したように、１つまたは複数のＵＥあるいは他のデバイス（図示せず）にワイヤレスネットワークアクセスを与えるためにドナーｅＮＢ２０４によってサービスされ得るリレーｅＮＢ２０２を含むことができる。さらに、システム２００は、場合によっては、それぞれリレーｅＮＢ２０２およびドナーｅＮＢ２０４に／から１つまたは複数の構成パラメータを通信する、運用、アドミニストレーション、および管理（ＯＡＭ：operation, administration, and management）サーバ２０６を含むことができる。たとえば、リレーｅＮＢ２０２は、説明したように、ワイヤードまたはワイヤレスリレー、ＵＥなど、実質的に任意のリレーであり得、ドナーｅＮＢ２０４は実質的に任意のアクセスポイントであり得る。その上、ただ１つのＯＡＭサーバ２０６が随意に示されているが、一例では、以下で説明するリレーｅＮＢ２０２とドナーｅＮＢ２０４との間の情報を通信することを可能にするために、追加のＯＡＭサーバまたは他のコアネットワーク構成要素が存在することができることを諒解されたい。
【００４２】
リレーｅＮＢ２０２は、リレーｅＮＢ２０２と通信しているＵＥの数（または関係する接続の数）を取得するための随意の接続数決定構成要素２１０と、１つまたは複数のノードにＵＥの数を指定するための随意の接続数指示構成要素２１２と、上記数のＵＥにワイヤレスネットワークアクセスを与えるために別のｅＮＢとの１つまたは複数のベアラを確立するためのベアラ要求構成要素２１４とを備えることができる。接続数指示構成要素２１２は、場合によっては、ＵＥの数に基づいてベアラ確立要求において示すべきＱＣＩを選択するためのＱｏＳクラス識別子（ＱＣＩ：QoS class identifier）選択構成要素２１６を含むことができる。その上、リレーｅＮＢ２０２は、リレーｅＮＢ２０２における最大スループットをさらに示すための随意の最大スループット決定構成要素２１８、および／またはドナーｅＮＢからリソース割振りを受信するためにアクセスリンクレートを取得し、報告するための随意のアクセスリンクレート決定構成要素２２０を含むことができる。
【００４３】
ドナーｅＮＢ２０４は、ワイヤレスネットワークにおいて通信するためにリレーｅＮＢ、ＵＥなどとの１つまたは複数のベアラを確立するためのベアラ確立構成要素２２２と、リレーｅＮＢにおける接続の数を取得するための接続カウント決定構成要素２２４と、リレーｅＮＢにおける接続の数に基づいてＢＥトラフィックのために割り当てるべきリソースの数を識別するためのＢＥトラフィックスケジューリング構成要素２２６とを備えることができる。ドナーｅＮＢ２０４はまた、場合によっては、リレーｅＮＢにおける最大スループットを取得するための最大スループット受信構成要素２２８、および／またはリレーｅＮＢのためのリソース割振りを決定する際に使用するためにリレーｅＮＢからアクセスリンクレートを取得するためのアクセスリンクレート受信構成要素２３０を含む。
【００４４】
一例によれば、ベアラ要求構成要素２１４は、説明したように、リレーｅＮＢ２０２と通信している１つまたは複数のＵＥについてドナーｅＮＢ２０４とのベアラ確立を要求することができる。ベアラ確立構成要素２２２は、リレーｅＮＢ２０２からＢＥベアラ確立についての要求を受信することができる。たとえば、これは、１つまたは複数の無線リソース制御（ＲＲＣ：radio resource control）メッセージ（たとえば、ＲＲＣＣｏｎｎｅｃｔｉｏｎＥｓｔａｂｌｉｓｈｍｅｎｔ、ＲＲＣＣｏｎｎｅｃｔｉｏｎＲｅｃｏｎｆｉｇｕｒａｔｉｏｎなど）の通信を含むことができる。接続カウント決定構成要素２２４は、リレーｅＮＢ２０２におけるＵＥまたは関係する接続の数を取得することができ、ＢＥトラフィックスケジューリング構成要素２２６は、そのＵＥまたは関係する接続の数に基づいてＢＥベアラのためのリソースを割り当てることができる。ベアラ確立構成要素２２２は、リレーｅＮＢ２０２とのベアラを確立し、したがって、ＢＥトラフィックのための割り当てられたリソースをリレーｅＮＢ２０２に許可することができる。たとえば、リソース許可は、ベアラ確立を伴うことができ、および／またはベアラ確立に続いて送られ得る。別の例では、リレーｅＮＢ２０２におけるＵＥまたは関係する接続の数が変化する場合、ＢＥトラフィックスケジューリング構成要素２２６がリソース割振りを修正することができ、および／またはベアラ要求構成要素２１４およびベアラ確立構成要素２２２がＢＥトラフィックのためのベアラを再確立するかまたはさもなければ修正することができる。
【００４５】
一例では、ＢＥトラフィックスケジューリング構成要素２２６は、ＵＥの数に基づいてＵＥにＢＥリソースを割り当てる比例公平性アルゴリズムを利用することができる。したがって、本明細書で説明する主題は、ＢＥリソースの比例的に公平な割振りを可能にするために、ドナーｅＮＢ２０４と通信している１つまたは複数のリレーノードにおけるＵＥのカウント、および／またはドナーｅＮＢ２０４と直接通信しているＵＥのカウントをドナーｅＮＢ２０４が決定することを可能にする。
【００４６】
一例では、ＢＥトラフィックスケジューリング構成要素２２６は、以下の説明と同様のＢＥスケジューラを使用することができる。ＢＥスケジューラは、ＤｅＮＢ２０４に見える各ＵＥまたは関係する接続（フローとも呼ばれる）について等しいエアタイムを与えようとする。エアタイムは、この例では、瞬間チャネル状態がより良いかまたは履歴スループットがより低いフローがより高い優先順位でスケジュールされる方法で分散される。数学的に、この例におけるスケジューラは、すべてのアクティブフローについて以下の平衡を達成しようと努力する。
【数１】
0005932067.tif 000002
【００４７】
ただし、ｒiはフローｉの瞬時データレートを示し、Ｒiはフローｉのために達成された履歴スループットを表し、ｒjはフローｊの瞬時データレートを示し、Ｒjはフローｊのために達成された履歴スループットを表す。
【００４８】
ＢＥスケジューラが、ＤｅＮＢ２０４によって直接サービスされているＵＥフローに与えるエアタイムと等しいエアタイムをリレーｅＮＢフローに与えようと努力した場合、リレーｅＮＢの下で何個のＵＥフローがアクティブであるかにかかわらず、以下の状態が生じ得る。
【数２】
0005932067.tif 000003
【００４９】
ただし、
【数３】
0005932067.tif 000004
【００５０】
はＵＥ ｉに関係するフローの瞬時データレートを示し、
【数４】
0005932067.tif 000005
【００５１】
はＵＥ ｉに関係するフローのために達成された履歴スループットを表し、
【数５】
0005932067.tif 000006
【００５２】
はＵＥ ｊに関係するフローの瞬時データレートを示し、
【数６】
0005932067.tif 000007
【００５３】
はＵＥ ｊに関係するフローのために達成された履歴スループットを表し、
【数７】
0005932067.tif 000008
【００５４】
はリレーｅＮＢ（ＲＮ）ｋに関係するフローの瞬時データレートを示し、
【数８】
0005932067.tif 000009
【００５５】
はＲＮ ｋに関係するフローのために達成された履歴スループットを表し、
【数９】
0005932067.tif 000010
【００５６】
はＲＮ ｌに関係するフローの瞬時データレートを示し、
【数１０】
0005932067.tif 000011
【００５７】
はＲＮ ｌに関係するフローのために達成された履歴スループットを表す。リレーｅＮＢの下でのＵＥのアクセスチャネル状態がＲＮkについて同じであり、ＲＮkの下で
【数１１】
0005932067.tif 000012
【００５８】
個のＵＥがあると仮定すると、次式のようになり、
【数１２】
0005932067.tif 000013
【００５９】
ただし、
【数１３】
0005932067.tif 000014
【００６０】
はＲＮkの下でｍ番目のＵＥであり、したがって次式のようになる。
【数１４】
0005932067.tif 000015
【００６１】
これは、本明細書で説明するように、所望のスケジューリング結果でないことがある。
【００６２】
比例公平性の所望の結果を達成するために、ＢＥスケジューラは、次式に従ってトラフィックをスケジュールすることができる。
【数１５】
0005932067.tif 000016
【００６３】
なぜならば、これは次式のスケジューリング原理と等価であるからである。
【数１６】
0005932067.tif 000017
【００６４】
したがって、ＤｅＮＢ２０４は、
【数１７】
0005932067.tif 000018
【００６５】
として示された、ＲＮkの下でサービスされるアクティブＵＥフローの数を取得することができる。ＲＮはリレーｅＮＢ２０２であり得る。たとえば、接続カウント決定構成要素２２４が、リレーｅＮＢ２０２におけるＵＥ、関係する接続、またはフローの数を取得することができる。この例では、ＢＥトラフィックスケジューリング構成要素２２６が、次いで、スケジューリング原理を使用して比例公平性を達成するために、
【数１８】
0005932067.tif 000019
【００６６】
だけリレーｅＮＢ２０２の履歴スループットをディスカウントすることができる。
【００６７】
接続カウント決定構成要素２２４は、様々な可能な実装形態を使用してリレーｅＮＢ２０２におけるＵＥまたは関係する接続の数を取得することができる。一例では、接続数決定構成要素２１０が、説明したように、リレーｅＮＢ２０２と通信しているＵＥの数またはＵＥの関係する接続の数を把握することができる。たとえば、ＬＴＥでは、接続数決定構成要素２１０は、接続を、リレーｅＮＢ２０２と通信しているＵＥに割り当てられたＵｕベアラの数として決定するか、またはＵＥの数を決定することができる。たとえば、Ｕｕベアラは、ＵＥとリレーｅＮＢ２０２との間のベアラに対応することができる。その上、Ｕｎベアラは、リレーｅＮＢ２０２とドナーｅＮＢ２０４との間のベアラに対応することができ、したがって、接続カウント決定構成要素２２４は、所与のＵｎベアラ上でサービスされるＵｕベアラの数を決定することができる。以下では概して接続の数に関して説明するが、これらの概念はＵＥの数にも適用され得ることを諒解されたい。接続、ＵＥなどについて説明するために、本明細書ではフローという用語も使用される。接続数指示構成要素２１２は、説明したように、ドナーｅＮＢ２０４において比例的に公平なＢＥスケジューリングを可能にするためにドナーｅＮＢ２０４への接続の数を指定することができる。
【００６８】
たとえば、これは、接続数指示構成要素２１２がドナーｅＮＢ２０４へのＢＥ接続の数を明示的または暗黙的に指定することを含むことができる。一例では、接続数指示構成要素２１２は、リレーｅＮＢ２０２とドナーｅＮＢ２０４との間で通信される新規または既存のメッセージ中でＢＥ接続の数を示すことができる。別の例では、ＱＣＩ選択構成要素２１６が、ドナーｅＮＢ２０４とのベアラ確立要求または場合によってはベアラ修正プロシージャのためのＱＣＩを選択することによってＵＥの数を示すことができる。たとえば、リレーｅＮＢ２０２とドナーｅＮＢ２０４との間のベアラがまだ確立されていない場合、ベアラ要求構成要素２１４は、ベアラ確立を要求することができ、選択されたＱＣＩを示すことができる。別の例では、ベアラが確立された場合、ベアラ要求構成要素２１４は、ＵＥの数を示すために選択されたＱＣＩを指定するドナーｅＮＢ２０４へのベアラ修正を開始することができる。
【００６９】
たとえば、リレーｅＮＢ２０２におけるＵＥの数（たとえば、またはＵＥの範囲）を示すために１つまたは複数のＱＣＩ値が予約され得る。一例では、ＬＴＥでは、２５６個の可能なＱＣＩ値が存在し、それらのＱＣＩ値の一部分が被サービスＵＥの数を示すものとして定義されることがある。これは、たとえば、数へのＱＣＩ値の１対１マッピング、数の範囲への１つまたは複数のＱＣＩ値のマッピングなどであり得る。この例では、ベアラ確立構成要素２２２が、説明したように、リレーｅＮＢ２０２から、指定されたＱＣＩ値をもつベアラ確立または修正要求を取得することができ、接続カウント決定構成要素２２４が、リレーｅＮＢ２０２のためのリソース割振りを計算するためにＱＣＩ値に基づいて、リレーｅＮＢ２０２によってサービスされるＵＥの数（たとえば、または数の範囲）を決定することができる。ＢＥトラフィックスケジューリング構成要素２２６が、したがって、ＢＥベアラのためのリソース割振りを決定することができ、ベアラ確立構成要素２２２が、ベアラ確立要求を許可するか、または決定されたリソース割振りに基づいて関係する要求に従ってベアラを修正することができる。既存のＱＣＩ値が使用されるので、この例では、ＬＴＥなど、ワイヤレス規格への変更は必要でないことがある。
【００７０】
別の例では、接続数指示構成要素２１２がＯＡＭサーバ２０６にＵＥの数を送信することができる。この例では、接続カウント決定構成要素２２４が、ＯＡＭサーバ２０６、および／またはＯＡＭサーバ２０６にアクセスするコアネットワークの１つまたは複数の他の構成要素からの該数を要求することができる。同様に、ＢＥトラフィックスケジューリング構成要素２２６が、説明したように、リレーｅＮＢ２０２のためのリソース割振りを計算するためにこの数を利用することができる。別の例では、接続数指示構成要素２１２が、接続数決定構成要素２１０もＵＥの数の変化を検出することに少なくとも部分的に基づいて、ＯＡＭサーバ２０６におけるＵＥの数を更新することができる。そのような更新は、ＯＡＭサーバ２０６、ドナーｅＮＢ２０４などによって検出され得、接続カウント決定構成要素２２４が、説明したように、ベアラを修正するためにカウントを決定することができる。ＯＡＭサーバ２０６との通信は、ＯＡＭサーバ２０６とリレーｅＮＢ２０２および／またはドナーｅＮＢ２０４の各々との間のプロプライエタリメッセージを使用して行われ得る。
【００７１】
さらに別の例では、接続カウント決定構成要素２２４が、リレーｅＮＢ２０２からの支援なしにリレーｅＮＢ２０２における接続または関係するＵＥの数を決定することができる。たとえば、接続カウント決定構成要素２２４は、通信に関係する異なるＵＥの数を決定するために、リレーｅＮＢ２０２からの通信、および／または（たとえば、モビリティ管理エンティティ（ＭＭＥ：mobility management entity）もしくは同様の構成要素からの）リレーｅＮＢ２０２もしくは関係するＵＥに宛てられた通信のパケット検査を実行することができる。パケット検査から様々なパラメータが決定され得る。たとえば、接続カウント決定構成要素２２４は、ＭＭＥからのパケットを検査することができ、Ｓ１メッセージ中の加入者プロファイル識別情報を取得して、どのメッセージがリレーｅＮＢ２０２に関係するかを決定することができる。接続カウント決定構成要素２２４は、これらのメッセージを検査して、リレーｅＮＢ２０２と通信しているＵＥに関係するインターネットプロトコル（ＩＰ）アドレス、トンネルエンドポイント識別子（ＴＥＩＤ：tunnel endpoint identifier）などを取得することができる。別個のＩＰアドレス、ＴＥＩＤなどの数に基づいて、接続カウント決定構成要素２２４は、リレーｅＮＢ２０２と通信しているＵＥの数を取得することができる。接続カウント決定構成要素２２４は、この例では、ある数の繰り返しアドレス、ＴＥＩＤなどに遭遇するなどまで、ある時間期間の間パケットを検査することができることを諒解されたい。
【００７２】
場合によっては、たとえば、リレーｅＮＢ２０２が、それの被サービスＵＥとドナーｅＮＢ２０４との間の通信のためのボトルネックになり得る。これは、たとえば、被サービスＵＥのためのエンドツーエンドフロー制御がない場合、リレーｅＮＢ２０２が多数のＵＥをサービスする場合、（たとえば、バックホールリンクがワイヤレスである場合に無線状態が悪いことにより）ドナーｅＮＢ２０４とのバックホールリンクが制約されている場合などに起こり得る。この点について、リレーｅＮＢ２０２は、ドナーｅＮＢ２０４によって許可された説明したＢＥリソースを十分に利用することが常に可能であるとは限らない。この例では、最大スループット決定構成要素２１８がまた、リレーｅＮＢ２０２がその間にサービスされ得るフレーム中の最大エアタイムＴmaxをドナーｅＮＢ２０４にフィードバックすることができる。最大スループット受信構成要素２２８がリレーｅＮＢ２０２からＴmaxを取得することができ、ＢＥトラフィックスケジューリング構成要素２２６が、さらに、リレーｅＮＢ２０２のためのリソース割振りを生成する際にＴmaxを考慮することができる。
【００７３】
たとえば、最大スループット決定構成要素２１８は、ＵＥの数に関して上記で説明したように、ベアラ確立または修正についての要求に関係するＱＣＩまたは同様のパラメータにおいてＴmaxを与えることができる。したがって、別の例では、最大スループット決定構成要素２１８は、ドナーｅＮＢ２０４による取出しのために、説明したように、ＯＡＭサーバ２０６などにＴmaxを与えることができる。いずれの場合も、最大スループット受信構成要素２２８は、リレーｅＮＢ２０２にリソースをスケジュールする際に使用するためにＴmaxを取得することができる。一例では、最大スループット決定構成要素２１８は、ドナーｅＮＢ２０４に関するリレーｅＮＢ２０２におけるチャネル状態、被サービスＵＥの数などに少なくとも部分的に基づき得る、Ｔmaxを計算することができる。
【００７４】
たとえば、説明したように、ＢＥトラフィックスケジューリング構成要素２２６は次式を達成しようと努力することができる。
【数１９】
0005932067.tif 000020
【００７５】
ただし、
【数２０】
0005932067.tif 000021
【００７６】
はｉ番目のＵＥによって使用されるリンクのチャネルデータレートを示し、
【数２１】
0005932067.tif 000022
【００７７】
はｉ番目のＵＥの履歴スループットを示し、ｒRNはリレーｅＮＢ２０２によって使用されるバックホールリンクのチャネルデータレートを示し、ＲRNはリレーｅＮＢ２０２の履歴スループットを示す。リレーｅＮＢ２０２がボトルネックを形成するとき、リレーアクセスリンクは、ドナーｅＮＢ２０４から送られたすべてのＵＥトラフィックをサービスすることが可能であるとは限らない。したがって、この場合は次式のようになる。
【数２２】
0005932067.tif 000023
【００７８】
ただし、Ｔは、ドナーｅＮＢ２０４の知覚中にあらゆるＵＥが受信するフレーム中のエアタイムの平均量を示し、
【数２３】
0005932067.tif 000024
【００７９】
は、ＵＥへのリレーｅＮＢ２０２アクセスリンクの平均チャネルデータレートを示し、Ｔaは、リレーｅＮＢ２０２アクセスリンクがアクティブであり得るフレーム中の時間量を示す。Ｔaはフレームの時間ＴFに等しくなり得、リレーｅＮＢ２０２は、上記で説明したように全二重リレーである。
【００８０】
リレーｅＮＢ２０２のためにサービスされるフレーム中のエアタイムの平均量は、次式のように係数σによって減少させられ得る。
【数２４】
0005932067.tif 000025
【００８１】
たとえば、
【数２５】
0005932067.tif 000026
【００８２】
のようになる。一例では、説明したように、最大スループット決定構成要素２１８は、Ｔmax、またはＴmaxの関数をドナーｅＮＢ２０４にフィードバックすることができる。最大スループット受信構成要素２２８がリレーｅＮＢ２０２からＴmaxを取得することができ、ＢＥトラフィックスケジューリング構成要素２２６が、Ｔmax、または関係する関数に基づいてリレーｅＮＢ２０２のためのリソースをスケジュールすることができる。したがって、一例では、ＢＥトラフィックスケジューリング構成要素２２６は、説明したように、経時的に公平性を統計的に与えながらセル容量を増加させるために時間変動チャネルを利用することができる。
【数２６】
0005932067.tif 000027
【００８３】
を達成するために、ＢＥトラフィックスケジューリング構成要素２２６は、次式のように係数ρによってリレーｅＮＢ２０２の履歴スループットをディスカウントすることができる。
【数２７】
0005932067.tif 000028
【００８４】
σとρとの間の関係、続いて、Ｔmaxとρとの間の関係が以下のように導出され得る。ＢＥトラフィックスケジューリング構成要素２２６はバックホールリンクをＭρ個のＵＥのリンクとして効果的に処理するので、
【数２８】
0005932067.tif 000029
【００８５】
ただし、Ｔ´は、ドナーｅＮＢ２０４の知覚中にあらゆるＵＥが受信するフレーム中のエアタイムの更新された平均量を示し、Ｎは、（たとえば、１つまたは複数の他のリレーを通してあるいは他の方法で）ドナーｅＮＢ２０４によってサービスされるリレーｅＮＢ２０２の外側のＵＥの数を示す。したがって次式のようになる。
【数２９】
0005932067.tif 000030
【００８６】
式（１）および式（２）を解くことにより、
【数３０】
0005932067.tif 000031
【００８７】
または等価的にＢＥトラフィックスケジューリング構成要素２２６のスケジューリングアルゴリズムでは、
【数３１】
0005932067.tif 000032
【００８８】
Ｔmax＜ＭＴおよびＴF−Ｔmax＞ＮＴであるので、次式が成立することができる。
【数３２】
0005932067.tif 000033
【００８９】
接続カウント決定構成要素２２４がＭを取得し、最大スループット受信構成要素２２８がＴmaxを取得すると、ＢＥトラフィックスケジューリング構成要素２２６は、式３を使用してρを計算することができ、その後、
【数３３】
0005932067.tif 000034
【００９０】
をリレーｅＮＢ２０２のためのＢＥベアラのためのスケジューリングメトリックとして使用する。この例では、ベアラ確立構成要素２２２がスケジューリングメトリックに従ってリレーｅＮＢ２０２とのＢＥベアラを確立することができ、および／またはＢＥトラフィックスケジューリング構成要素２２６がスケジューリングメトリックに従ってベアラ上のトラフィックをスケジュールすることができる。
【００９１】
さらに別の例では、アクセスリンクレート決定構成要素２２０が、リレーｅＮＢ２０２と通信しているＵＥの各々へのアクセスリンクの個々のチャネルレートを決定することができる。たとえば、アクセスリンクレート決定構成要素２２０は、それぞれのデバイスからのレート、ある時間期間にわたってデバイスに送られている測度データなどを受信することができる。いずれの場合も、アクセスリンクレート決定構成要素２２０は、ドナーｅＮＢ２０４に各アクセスリンクのアクセスリンクレートを通信することができる。アクセスリンクレート受信構成要素２３０がアクセスリンクレートを取得することができ、ＢＥトラフィックスケジューリング構成要素２２６が、それらのアクセスリンクレートを利用して、（たとえば、最初はベアラ確立要求において、その後、確立されたベアラ上でリソースをスケジュールする際のベアラ修正要求においてなど）リレーｅＮＢ２０２のためのＢＥベアラに割り当てるべきリソースを決定することができる。たとえば、ＢＥトラフィックスケジューリング構成要素２２６は、リレーｅＮＢ２０２と通信しているデバイスのアクセスリンクレートを処理するのに十分な、リレーｅＮＢ２０２とのＢＥベアラのためのリソースをスケジュールすることができる。
【００９２】
図３を参照すると、ＢＥトラフィックを処理するためにＧＢＲベアラを要求するための例示的なシステム３００が示されている。システム３００は、ドナーｅＮＢ３０４を通して１つまたは複数のＵＥ（図示せず）にワイヤレスネットワークアクセスを与えるリレーｅＮＢ３０２を備える。リレーｅＮＢ３０２は、説明したように、ｅＮＢ１０４および／または１０６と同様であり得る。ドナーｅＮＢ３０４はドナーｅＮＢ１０２と同様であり得る。たとえば、リレーｅＮＢ３０２は、説明したように、ワイヤードまたはワイヤレスリレー、ＵＥなど、実質的に任意のリレーであり得、ドナーｅＮＢ３０４は実質的に任意のアクセスポイントであり得る。
【００９３】
リレーｅＮＢ３０２は、リレーｅＮＢ２０２と通信しているＵＥの数（または関係する接続の数）を取得するための接続数決定構成要素２１０と、ＢＥトラフィックを処理するためにＧＢＲベアラを確立するためのＧＢＲベアラ管理構成要素３０６と、上記数のＵＥにワイヤレスネットワークアクセスを与えるために別のｅＮＢとの１つまたは複数のＧＢＲまたはＢＥベアラを確立するためのベアラ要求構成要素２１４とを備えることができる。ＧＢＲベアラ管理構成要素３０６は、ＢＥ（または他の非ＧＢＲ）ベアラにおけるスループットを測定するためのＢＥスループット決定構成要素３０８と、ＵＥまたは対応する接続に関係する１つまたは複数のフローをＧＢＲベアラにマッピングするためのフローマッピング構成要素３１０とを含むことができる。
【００９４】
ドナーｅＮＢ２０４は、ワイヤレスネットワークにおいて通信するためにリレーｅＮＢ、ＵＥなどとの１つまたは複数のベアラを確立するためのベアラ確立構成要素２２２を備えることができる。
【００９５】
一例によれば、ベアラ要求構成要素２１４が、リレーｅＮＢ３０２からのＢＥトラフィックを処理するためにドナーｅＮＢ３０４にＧＢＲベアラの確立を要求することができる。しかしながら、ＧＢＲベアラ管理構成要素３０６は、初期に、ドナーｅＮＢ３０４（たとえば、またはそれに接続された他のリレー）と通信しているＵＥに与えられる他のＢＥベアラの比例的に公平なデータレートを知らないことがある。この情報は、リレーｅＮＢ３０２と通信しているＵＥのＢＥトラフィックのための比例的に公平なデータレートを与えるのに十分なデータレートを有するＧＢＲベアラをドナーｅＮＢ３０４に要求するために望ましいことがある。
【００９６】
この点について、たとえば、ベアラ要求構成要素２１４は、リレーｅＮＢ３０２とＢＥトラフィックを通信しているＵＥのためにドナーｅＮＢ３０４との少なくとも１つのＢＥベアラを要求し、維持することができる。ベアラ確立構成要素２２２が、上記で説明したように、ＢＥベアラを確立することができ、比例的に公平なスケジューリングをＢＥベアラに割り当てることができる。この点について、ＢＥスループット決定構成要素３０８が、ＢＥベアラのためにドナーｅＮＢ３０４によってスケジュールされる比例的に公平なデータレートを決定するためにＢＥベアラのスループットを測定することができる。初めに、ＧＢＲベアラ管理構成要素３０６が、（たとえば、ＵＥが、ＢＥスループット決定構成要素３０８によって測定するためのＢＥベアラを割り当てられることなしに）ＵＥまたは関係するＢＥ接続の数で乗算されたＢＥベアラの測定されたスループットとして他のＵＥのＢＥトラフィックを処理するために、ＧＢＲベアラを要求するためのビットレートを計算することができる。ベアラ要求構成要素２１４はドナーｅＮＢ３０４にＧＢＲベアラを要求することができ、ベアラ確立構成要素２２２はリレーｅＮＢ３０２にＧＢＲベアラを許可することができる。別の例では、既存のベアラが、ＧＢＲベアラ管理構成要素３０６によって決定されたビットレートに従って修正され得る。この例では、フローマッピング構成要素３１０が、ＧＢＲベアラを介してＢＥトラフィックを通信するために、ＢＥリソースまたは関係する接続に関係するフローをＧＢＲベアラにマッピングすることができる。たとえば、フローマッピング構成要素３１０は、ドナーｅＮＢ３０４を通してフロー上でＢＥトラフィックを通信するために、フローに関係するＵＥにＧＢＲベアラの実質的に等しい部分を与えることができる。
【００９７】
ただし、ＧＢＲベアラを導入することにより、ドナーｅＮＢ３０４において利用可能なリソースが低下し、したがって、ＢＥトラフィックスループットが低下し得ることを諒解されたい。この点について、ビットレートを初めに計算した後に、ＧＢＲベアラ管理構成要素３０６は、ＧＢＲベアラの導入によって生じる決定された更新ＢＥトラフィックスループットなど、１つまたは複数の計算に基づいてビットレートを調整することができる。一例では、ＧＢＲベアラ管理構成要素３０６は、以下の式に従って上記で説明した初期ビットレートを計算することができる。
【数３４】
0005932067.tif 000035
【００９８】
ただし、Ｒngbr(0)は、リレーｅＮＢ３０２の下で割り当てられる測定されたＢＥベアラスループットを示し、Ｒi(0)は、ドナーｅＮＢ３０４の下でサービスされる未知のＢＥベアラの初期スループットを示し、Ｃは、ドナーｅＮＢ３０４の下でのＢＥベアラのための未知の総容量であり、ｒRNは、ドナーｅＮＢ２０４へのリレーｅＮＢ３０２バックホールリンクのチャネルデータレートを示し、ｒiは、ドナーｅＮＢ２０４の下でサービスされる未知の非ＧＢＲベアラリンクのチャネル容量を示す。この例では、ＧＢＲベアラ管理構成要素３０６は、ＧＢＲベアラを導入した後にリレーｅＮＢ３０２に割り当てられたＢＥベアラのスループットをプローブして、それに応じてＧＢＲベアラのデータレートを調整することができる。一例では、この計算は以下の式に従って実行され得る。
【数３５】
0005932067.tif 000036
【００９９】
ただし、Ｒngbr(1)は、ＧＢＲベアラを導入した後のリレーｅＮＢ３０２の下での単一のＢＥベアラスループットを示し、Ｒi(1)は、ＧＢＲベアラを導入した後にドナーｅＮＢ３０４の下でサービスされる未知のＢＥベアラのスループットを示す。その上、この例では、ＧＢＲベアラ管理構成要素３０６は、以下の式に基づいてＧＢＲベアラの最終ビットレートを決定することができる。
【数３６】
0005932067.tif 000037
【０１００】
ただし、Ｒngbr(2)は、ＧＢＲベアラ調整後のリレーｅＮＢ３０２の下での最終ＢＥベアラスループットを示し、Ｒi(2)は、ＧＢＲベアラ調整後にドナーｅＮＢ３０４の下でサービスされる未知のＢＥベアラの最終スループットを示す。以下の６つの未知数について上記６つの式を解くことにより、
【数３７】
0005932067.tif 000038
【０１０１】
ＧＢＲベアラ管理構成要素３０６は、ＭＲngbr(2)に等しいＧＢＲベアラのデータレートを計算することができ、ベアラ要求構成要素２１４は、（たとえば、単一のＢＥベアラをすでに利用しているＵＥを含まない）リレーｅＮＢ２０２と通信している様々なＵＥのＢＥトラフィックを処理するためにベアラ修正プロシージャを開始することによってＧＢＲのビットレートを調整することができる。
【０１０２】
図４に、本明細書で説明する態様による例示的なＬＴＥ／ＬＴＥ−Ａアーキテクチャを示す例示的なシステム４００が示されている。システム４００は、ワイヤレスネットワークアクセスのためにリレーｅＮＢ（ＲＮ）４０６と通信するＵＥ１  ４０２およびＵＥ２  ４０４を含む。ＲＮ４０６は、ワイヤレスネットワークアクセスを与えるためにＤｅＮＢ４０８と通信する。ＤｅＮＢ４０８は、今度は、ＲＮ  Ｓ／Ｐ−ＧＷ４１０と総称される、ＲＮサービングゲートウェイ（Ｓ−ＧＷ）またはパケットデータネットワーク（ＰＤＮ）ゲートウェイ（Ｐ−ＧＷ）、ならびに１つまたは複数のＵＥ  Ｓ／Ｐ−ＧＷ４１２を含む、様々なコアネットワークノードと通信する。
【０１０３】
ＵＥ１  ４０２およびＵＥ２は、それぞれ、ＲＮ４０６との専用無線ベアラ（ＤＲＢ：dedicated radio bearer）４１４および４１６を確立することができる。本明細書ではＵｕベアラとも呼ぶ、これらのＤＲＢ４１４および４１６は、ＢＥトラフィックのためのものであり得る。したがって、ＲＮ４０６は、ＵＥ ＤＲＢ４１４および４１６のためのＢＥトラフィックを処理するために、ＤｅＮＢ４０８との単一のＲＮ ＤＲＢ４２２を確立する。このＲＮ ＤＲＢ４２２は本明細書ではＵｎベアラとも呼ぶ。説明したように、ＤｅＮＢ４０８は、ＲＮ４０６によって処理されるＵＥ ＢＥ ＤＲＢのカウントを決定することができ、このカウントは、説明したように、ＲＮ４０６からの指示、ＤｅＮＢ４０８におけるパケット検査などに基づいて決定され得る。別の例では、ＲＮ ＤＲＢ４２２は、説明したように、ＤｅＮＢ４０８によってサービスされる他のＵＥ ＤＲＢと同様のＵＥ ＤＲＢ４１４および４１６に比例的に公平なスケジューリングを与えるのに十分なビットレートをもつＧＢＲベアラとして確立され得る。その上、たとえば、ＲＮ４０６は、ＲＮ ＤＲＢ４２２上のリソースをスケジュールするためにＤｅＮＢ４０８に最大スループットおよび／またはアクセスリンクレートを通信することができる。
【０１０４】
ＤｅＮＢ４０８は、したがって、コアネットワークにおいてＲＮ ＤＲＢ４２２を介して受信されたデータを通信するために、またＲＮ ＤＲＢ４２２を介してＲＮ ＥＰＳベアラ４２４中で受信されたＲＮ４０６に関係するネットワークデータを通信するために、ＲＮ ＤＲＢ４２２に関係するＲＮ Ｓ／Ｐ−ＧＷ４１０とのＲＮ発展型パケットシステム（ＥＰＳ：evolved packet system）ベアラ４２４を確立することができる。たとえば、ＤｅＮＢ４０８は、コアネットワーク中でＲＮ ＥＰＳベアラ４２４を識別するために、ＲＮ ＥＰＳベアラ４２４にＳ１識別子などの識別子を関連付けることができる。別の例では、ＤｅＮＢ４０８は、ＲＮ４０６に関係するヘッダ中にトンネルエンドポイント識別子（ＴＥＩＤ）を含むＲＮ４０６からの通信をトンネリングプロトコルでカプセル化することができる。したがって、たとえば、ＲＮ ＥＰＳベアラ４２４に関係するコアネットワーク通信は、通信をルーティングするためにＴＥＩＤを指定するヘッダとともにトンネリングプロトコル（たとえば、汎用パケット無線サービス（ＧＰＲＳ）トンネリングプロトコル（ＧＴＰ：GPRS tunneling protocol）を使用して、ＤｅＮＢ４０８、およびＲＮ Ｓ／Ｐ−ＧＷ４１０、ＵＥ Ｓ／Ｐ−ＧＷ４１２などの様々なノードの間で通信され得る。
【０１０５】
別の例では、ＲＮ４０６は、ＵＥ ＤＲＢ４１４および４１６のためのＵＥ ＥＰＳベアラ４１８および４２０をそれぞれＵＥ Ｓ／Ｐ−ＧＷ４１２と確立することができる。したがって、ＵＥ ＥＰＳベアラ４１８を介してコアネットワークからＲＮ４０６において受信されたデータは、ＵＥ ＤＲＢ４１４を介してＵＥ１  ４０２に送られ得、ＵＥ ＥＰＳベアラ４２０を介してＲＮ４０６において受信されたデータは、ＵＥ ＤＲＢ４１６を介してＵＥ２  ４０４に送られ得る。いずれの場合も、ＵＥ ＤＲＢ４１４および４１６と、ＵＥ ＥＰＳベアラ４１８および４２０とに関係するＢＥデータを処理するために、単一のＲＮ ＤＲＢ４２２と、関係するＲＮ  ＥＰＳベアラ４２４とが使用される。したがって、ＵＥ ＤＲＢ４１４および４１６を介して受信されたＵＥ１  ４０２およびＵＥ２  ４０４のトラフィックは、ＲＮ ＤＲＢ４２２を介してＤｅＮＢ４０８に送られる。ＲＮ４０６は、同様に、関係するＵＥを識別するためのＴＥＩＤとともにＧＴＰでＵＥ１  ４０２またはＵＥ２  ４０４の通信をカプセル化することができる。いずれの場合も、ＲＮ Ｓ／Ｐ−ＧＷ４１０は、ＤｅＮＢ４０８からトラフィックを受信し、トンネリングプロトコルヘッダを削除し、それぞれＵＥ ＥＰＳベアラ４１８および４２０を介してトラフィックを転送することができる。ＵＥ Ｓ／Ｐ−ＧＷ４１２も、トラフィックからトンネリングプロトコルヘッダ情報を削除し、関係するＵＥを決定することができる。同様に、ＵＥ Ｓ／Ｐ−ＧＷ４１２は、ＵＥ１  ４０２またはＵＥ２  ４０４を識別するＴＥＩＤとともにＧＴＰでＵＥ１  ４０２またはＵＥ２  ４０４に宛てられたデータをパッケージングすることができる。ＲＮ Ｓ／Ｐ−ＧＷ４１０は、さらに、ＲＮ４０６に関係するトンネリングプロトコルヘッダとともにＵＥ Ｓ／Ｐ−ＧＷ４１２からＵＥ ＥＰＳベアラ４１８および４２０を介して受信されたデータをパッケージングすることができ、そのデータをＤｅＮＢ４０８に通信することができる。ＤｅＮＢは、ヘッダに基づいてＲＮ４０６を識別し、データをＲＮ４０６に転送し、ＲＮ４０６は、それぞれＤＲＢ４１４または４１６を介してＵＥ１  ４０２および／またはＵＥ２  ４０４にデータを転送することができる。
【０１０６】
上記で説明した一例では、ＤｅＮＢ４０８は、ＲＮ４０６に関係するアップストリームまたはダウンストリームパケットを識別するためにＲＮ４０６のＳ１またはＴＥＩＤを利用することができ、ＲＮ４０６によってサービスされるＵＥの数を決定するためにパケット中の異なるＵＥ ＴＥＩＤを計数することができる。
【０１０７】
さらに、ＵＥ１  ４０２は、ＲＮ４０６とのＧＢＲ（またはＱｏＳ）ベアラをも有するものとして示されている。ＵＥ ＤＲＢ４２６が、ＧＢＲベアラとしてＲＮ４０６と確立される。ＲＮ４０６は、ＵＥ ＤＲＢ４２６を介して受信されたトラフィックを処理するために、ＤｅＮＢ４０８との専用ＲＮ ＤＲＢ４３０を確立することができる。ＤｅＮＢ４０８は、上記で説明したように、ＲＮ  ＤＲＢ４３０のためにＲＮ Ｓ／Ｐ−ＧＷ４１０とのＲＮ ＥＰＳベアラ４３２を確立し、同様に、ＲＮ４０６は、ＵＥ ＤＲＢ４２６のためにＵＥ Ｓ／Ｐ−ＧＷ４１２とのＵＥ ＥＰＳベアラ４２８を確立する。
【０１０８】
図５〜図９を参照すると、被サービスＵＥに与えるためにＢＥトラフィックリソースをリレーに割り当てることに関係する例示的な方法が示されている。説明を簡単にするために、方法を一連の行為として図示し説明するが、いくつかの行為は、１つまたは複数の実施形態によれば、他の行為と同時に、および／または本明細書で図示し説明する順序とは異なる順序で行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるとは限らない。
【０１０９】
図５を参照すると、ＢＥトラフィックスケジューリングを可能にするために被サービスＵＥの数を示すための例示的な方法５００が示されている。
【０１１０】
５０２において、被サービスＵＥの数の指示を送信する。たとえば、これは、説明したように、ベアラ確立または修正要求においてＱＣＩを使用して被サービスＵＥの数を示すことを含むことができる。別の例では、これは、ドナーｅＮＢ、ＯＡＭサーバなどに被サービスＵＥの数をシグナリングすることを含むことができる。
【０１１１】
５０４において、被サービスＵＥの数に少なくとも部分的に基づいて、被サービスＵＥについてのＢＥトラフィックを通信するためにベアラを確立するための要求を送信する。説明したように、要求は、一例では、被サービスＵＥの数を示すＱＣＩを含むことができる。要求は、ＢＥトラフィックを通信するためのリソースを受信するためにドナーｅＮＢに送信され得、ドナーｅＮＢは、説明したように、ドナーｅＮＢによってサービスされるＵＥおよび他のＵＥに比例的に公平なスケジューリングを与えるために、被サービスＵＥの数に基づいてリソースを割り当てることができる。
【０１１２】
図６を参照すると、ＢＥトラフィックを処理するためにＧＢＲベアラを要求するための例示的な方法６００が示されている。
【０１１３】
６０２において、ドナーｅＮＢとのＢＥトラフィックに関係する１つまたは複数のパラメータを決定する。たとえば、１つまたは複数のパラメータは、ドナーｅＮＢとのＢＥベアラ上で監視されるデータレート、ドナーｅＮＢによってＢＥベアラに許可されるリソース割振りなどに対応することができる。たとえば、データレートは、ある時間期間にわたってデータのスループットを決定すること、データレートに関する指示をドナーｅＮＢから受信することなどに基づいて監視され得る。
【０１１４】
６０４において、１つまたは複数のパラメータと被サービスＵＥの数とに基づいて、ドナーｅＮＢからのデータレートを指定するＧＢＲベアラを要求する。たとえば、ＧＢＲは、被サービスＵＥの数で乗算されたＢＥトラフィックの監視されたデータレートに実質的に等しいビットレートで要求され得る。したがって、ＧＢＲベアラは、説明したように、ドナーｅＮＢと確立され得、被サービスデバイスからのＢＥトラフィックは、ドナーｅＮＢに通信するためにＧＢＲベアラ上にマッピングされ得る。したがって、ＢＥトラフィックは、被サービスＵＥの数に基づく比例的に公平なスケジューリングを備える。ただし、このＧＢＲベアラを導入すると、ＢＥトラフィックスケジューリングへの修正が生じ得る。
【０１１５】
したがって、場合によっては６０６において、ＧＢＲベアラを確立することに続いて、ＢＥトラフィックに関係する１つまたは複数の更新されたパラメータをプローブすることができる。たとえば、これは、ＧＢＲベアラ確立に基づいて減少している可能性がある、現在のＢＥトラフィックデータレートを取得することを含むことができる。
【０１１６】
場合によっては、６０８において、１つまたは複数の更新されたパラメータに部分的に基づいて、ドナーｅＮＢからのＧＢＲベアラの修正を要求する。したがって、たとえば、ＧＢＲデータレートは、説明したように、ＵＥの数で乗算された更新ＢＥトラフィックデータレートとして修正され得る。
【０１１７】
図７を参照すると、被サービスデバイスの数に基づいてリレーｅＮＢにＢＥトラフィックのためのリソースを割り当てるための例示的な方法７００が示されている。
【０１１８】
７０２において、リレーｅＮＢからＢＥベアラについての要求を受信する。たとえば、要求は、ＲＲＣＣｏｎｎｅｃｔｉｏｎＥｓｔａｂｌｉｓｈｍｅｎｔ、ＲＲＣＣｏｎｎｅｃｔｉｏｎＲｅｃｏｎｆｉｇｕｒａｔｉｏｎなどとして受信され得る。一例では、要求は、リレーｅＮＢによってサービスされるＵＥの数の指示を含むことができる。たとえば、ＵＥの数は、明示的に示されること、１つまたは複数のパラメータ（たとえば、ＱＣＩ）を使用して暗黙的に示されることなどが可能である。
【０１１９】
７０４において、リレーｅＮＢによってサービスされるＵＥの数を決定する。たとえば、これは、ベアラ要求中に示された被サービスＵＥの数を取得すること（たとえば、明示的指示を取得すること、ＱＣＩを取得し、ＱＣＩに関係する被サービスＵＥの数を決定することなど）を含むことができる。別の例では、これは、遭遇した異なる識別子（たとえば、ＴＥＩＤ、あるいはＵＥまたは関係するフローに固有の他の識別子）の数を決定するために、リレーｅＮＢから受信されたおよび／またはリレーｅＮＢに宛てられたパケットを検査することを含むことができる。異なる識別子の数は被サービスＵＥの数に対応することができる。
【０１２０】
７０６において、ＵＥの数だけリレーｅＮＢの履歴スループットをディスカウントする。たとえば、スケジューラが、履歴スループットに基づいて、リレーｅＮＢを含む様々なデバイスのためのリソース割振りを決定することができる。リレーｅＮＢはいくつかのデバイスと通信することができ、したがって、スケジューラによって使用される履歴スループットは、ドナーｅＮＢから比例的に公平なリソースに割振りを取得するために、デバイスの数だけディスカウントされ得る。
【０１２１】
７０８において、ディスカウントされた履歴スループットに部分的に基づいてリレーｅＮＢにＢＥベアラのためのリソースを割り当てる。たとえば、ディスカウントされた履歴スループットを使用すると、ＵＥがドナーｅＮＢによって直接サービスされること、またはリレーｅＮＢがより少ない数のＵＥをサービスすることと比較して、ドナーｅＮＢがさらなるリソースをリレーｅＮＢに割り当てることができる。したがって、リレーｅＮＢは、リソース割振りを受信することができ、それに応じて、被サービスＵＥの各々にリソースを割り当てて比例的に公平なスケジューリングを与えることができる。
【０１２２】
図８を参照すると、リレーｅＮＢのためのＢＥトラフィックをスケジュールすることを可能にする例示的な方法８００が示されている。
【０１２３】
８０２において、被サービスＵＥの数と最大スループットとの指示を含むベアラ確立要求をリレーｅＮＢから受信する。指示は、たとえば、要求の一部として、または他のメッセージ中で受信され得る。一例では、ＵＥの数は、要求に関係するＱＣＩとして受信され得る。要求を受信することは、リレーｅＮＢからＲＲＣＣｏｎｎｅｃｔｉｏｎＥｓｔａｂｌｉｓｈｍｅｎｔ、ＲＲＣＣｏｎｎｅｃｔｉｏｎＲｅｃｏｎｆｉｇｕｒａｔｉｏｎ、または同様のメッセージを受信することを含むことができる。
【０１２４】
８０４において、リレーｅＮＢとのベアラを確立する。これは、リレーｅＮＢにリソースを割り当てること、および／またはリレーｅＮＢにＲＲＣＣｏｎｎｅｃｔｉｏｎＣｏｍｐｌｅｔｅもしくは同様のメッセージを通信することなどを含むことができる。
【０１２５】
８０６において、上記数の被サービスＵＥのために、上記数と最大スループットとに基づいて、ベアラ上のＢＥトラフィックのためのリソースを割り当てる。たとえば、これは、割り当てられたリソースが最大スループットを超えることになり得る場合、代わりに最大スループットまでのリソースが割り当てられ得るように、最大スループットに鑑みて、説明したように、被サービスＵＥの数に基づいてリソースを割り当てることを含むことができる。
【０１２６】
図９を参照すると、リレーｅＮＢのためのＢＥトラフィックをスケジュールすることを可能にする例示的な方法９００が示されている。
【０１２７】
９０２において、被サービスＵＥの数と１つまたは複数のアクセスリンクデータレートとの指示を含むベアラ確立要求をリレーｅＮＢから受信する。指示は、たとえば、要求の一部として、または他のメッセージ中で受信され得る。一例では、ＵＥの数は、要求に関係するＱＣＩとして受信され得る。要求を受信することは、リレーｅＮＢからＲＲＣＣｏｎｎｅｃｔｉｏｎＥｓｔａｂｌｉｓｈｍｅｎｔ、ＲＲＣＣｏｎｎｅｃｔｉｏｎＲｅｃｏｎｆｉｇｕｒａｔｉｏｎ、または同様のメッセージを受信することを含むことができる。
【０１２８】
９０４において、リレーｅＮＢとのベアラを確立する。これは、リレーｅＮＢにリソースを割り当てること、および／またはリレーｅＮＢにＲＲＣＣｏｎｎｅｃｔｉｏｎＣｏｍｐｌｅｔｅもしくは同様のメッセージを通信することなどを含むことができる。
【０１２９】
９０６において、上記数の被サービスＵＥのために、上記数と１つまたは複数のアクセスリンクデータレートとに基づいて、ベアラ上のＢＥトラフィックのためのリソースを割り当てる。たとえば、これは、割り当てられたリソースが最大スループットを超えることになり得る場合、１つまたは複数のアクセスリンクデータレートに従ってサービスするのに必要であるリソースが割り当てられ得るように、１つまたは複数のアクセスリンクデータレートに鑑みて、説明したように、被サービスＵＥの数に基づいてリソースを割り当てることを含むことができる。
【０１３０】
本明細書で説明する１つまたは複数の態様によれば、説明したように、被サービスＵＥの数を決定するかまたは示すこと、履歴スループットを決定することなどに関する推測が行われ得ることを諒解されよう。本明細書で使用する「推測する」または「推測」という用語は、概して、イベントおよび／またはデータを介して捕捉された観察のセットから、システム、環境、および／またはユーザの状態について推理するかまたはその状態を推測するプロセスを指す。推測は、特定のコンテキストまたはアクションを識別するために採用され得、あるいは、たとえば、状態の確率分布を生成することができる。推測は、確率的、すなわち、データおよびイベントの考察に基づく当該の状態の確率分布の計算であり得る。推測は、イベントおよび／またはデータのセットからより高いレベルのイベントを構成するために採用される技法を指すこともある。そのような推測から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【０１３１】
図１０は、被サービスＵＥの数に基づいてリソースを要求するかまたは割り当てることを可能にするシステム１０００の図である。システム１０００は、（たとえば、複数のネットワーク技術であり得る）複数の受信アンテナ１００６を介して１つまたは複数のモバイルデバイスまたはｅＮＢ１００４から（１つまたは複数の）信号を受信する受信機１０１０を有するｅＮＢ１００２と、（たとえば、複数のネットワーク技術であり得る）複数の送信アンテナ１００８を介して１つまたは複数のモバイルデバイスまたはｅＮＢ１００４に送信する送信機１０４２とを含む。ｅＮＢ１００２は、本明細書で説明するように、リレーｅＮＢまたはドナーｅＮＢであり得る。たとえば、ｅＮＢ１００２は、ｅＮＢ１００４から受信された信号を他のｅＮＢ１００４に送信することができ、および／またはその逆も同様である。受信機１０１０は、１つまたは複数の受信アンテナ１００６から情報を受信することができ、受信された情報を復調する復調器１０１２と動作可能に結合される。さらに、一例では、受信機１０１０は、ワイヤードバックホールリンクから受信することができる。別個のアンテナとして示してあるが、受信アンテナ１００６のうちの少なくとも１つと、送信アンテナ１００８のうちの対応する１つとは、同じアンテナとして組み合わされ得ることを諒解されたい。本明細書で説明する１つまたは複数の態様を実行することに関係する情報を記憶するメモリ１０１６に結合されたプロセッサ１０１４によって、復調シンボルが分析される。
【０１３２】
プロセッサ１０１４は、たとえば、受信機１０１０によって受信された情報の分析および／または送信機１０４２による送信のための情報の生成に専用のプロセッサ、ｅＮＢ１００２の１つまたは複数の構成要素を制御するプロセッサ、および／または受信機１０１０によって受信された情報を分析し、送信機１０４２による送信のための情報を生成し、ｅＮＢ１００２の１つまたは複数の構成要素を制御するプロセッサであり得る。さらに、プロセッサ１０１４は、本明細書で説明する１つまたは複数の機能を実行することができ、および／またはそのような目的のための構成要素と通信することができる。
【０１３３】
メモリ１０１６は、説明したように、プロセッサ１０１４に動作可能に結合され、送信されるべきデータ、受信されたデータ、利用可能なチャネルに関係する情報、分析された信号および／または干渉強度に関連するデータ、割り当てられたチャネル、電力、レートなどに関係する情報、ならびにチャネルを推定し、そのチャネルを介して通信するための任意の他の好適な情報を記憶することができる。メモリ１０１６は、さらに、ｅＮＢ１００２の自己干渉を緩和することに関連するプロトコルおよび／またはアルゴリズムを記憶することができる。
【０１３４】
本明細書で説明するデータストア（たとえば、メモリ１０１６）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ）など、多くの形態において利用可能である。主題のシステムおよび方法のメモリ１０１６は、これらおよび任意の他の好適なタイプのメモリを、それらに限定されることなく、備えるものとする。
【０１３５】
プロセッサ１０１４は、さらに場合によっては、接続数決定構成要素２１０と同様であり得る接続数決定構成要素１０１８、ベアラ要求構成要素２１４と同様であり得るベアラ要求構成要素１０２０、接続数指示構成要素２１２と同様であり得る接続数指示構成要素１０２２、最大スループット決定構成要素２１８と同様であり得る最大スループット決定構成要素１０２４、および／またはアクセスリンクレート決定構成要素２２０と同様であり得るアクセスリンクレート決定構成要素１０２６に結合される。プロセッサ１０１４は、さらに、ベアラ確立構成要素２２２と同様であり得るベアラ確立構成要素１０２８、接続カウント決定構成要素２２４と同様であり得る接続カウント決定構成要素１０３０、ＢＥトラフィックスケジューリング構成要素２２６と同様であり得るＢＥトラフィックスケジューリング構成要素１０３２、最大スループット受信構成要素２２８と同様であり得る最大スループット受信構成要素１０３４、アクセスリンクレート受信構成要素２３０と同様であり得るアクセスリンクレート受信構成要素１０３６、および／またはＧＢＲベアラ管理構成要素３０６と同様であり得るＧＢＲベアラ管理構成要素１０３８に動作可能に結合され得る。
【０１３６】
その上、たとえば、プロセッサ１０１４は、変調器１０４０を使用して送信されるべき信号を変調し、送信機１０４２を使用して被変調信号を送信することができる。送信機１０４２は、Ｔｘアンテナ１００８を介して信号をモバイルデバイスまたはｅＮＢ１００４に送信することができる。さらに、プロセッサ１０１４とは別個のものとして図示されているが、接続数決定構成要素１０１８、ベアラ要求構成要素１０２０、接続数指示構成要素１０２２、最大スループット決定構成要素１０２４、アクセスリンクレート決定構成要素１０２６、ベアラ確立構成要素１０２８、接続カウント決定構成要素１０３０、ＢＥトラフィックスケジューリング構成要素１０３２、最大スループット受信構成要素１０３４、アクセスリンクレート受信構成要素１０３６、ＧＢＲベアラ管理構成要素１０３８、復調器１０１２、および／または変調器１０４０は、プロセッサ１０１４または複数のプロセッサ（図示せず）の一部であり得、および／またはプロセッサ１０１４が実行するためのメモリ１０１６中の命令として記憶され得ることを諒解されたい。
【０１３７】
図１１を参照すると、被サービスＵＥの数を示すことに基づいてベアラ確立を要求するシステム１１００が示されている。たとえば、システム１１００は、少なくとも部分的にリレー内に常駐することができる。システム１１００は機能ブロックを含むものとして表されており、それらの機能ブロックは、プロセッサ、ソフトウェア／ファームウェア、またはそれらの組合せによって実装される機能を表す機能ブロックであり得ることを諒解されたい。システム１１００は、連携して動作することができる構成要素（たとえば、電子的構成要素）の論理グルーピング１１０２を含む。たとえば、論理グルーピング１１０２は、被サービスＵＥの数の指示を送信するための電子的構成要素を含むことができる（１１０４）。さらに、論理グルーピング１１０２は、被サービスＵＥの数に少なくとも部分的に基づいて被サービスＵＥのためのＢＥトラフィックを通信するためにベアラを確立するようにとの要求を送信するための電子的構成要素を含むことができる（１１０６）。
【０１３８】
説明したように、たとえば、電子的構成要素１１０４は、ベアラ要求におけるＱＣＩ、異なるメッセージにおける明示的指示、被サービスＵＥの数がそれから取得されるＯＡＭへの指示などとして、被サービスＵＥの数を示すことができる。たとえば、電子的構成要素１１０４は接続数指示構成要素２１２を含むことができる。さらに、たとえば、電子的構成要素１１０６は、一態様では、たとえば、ベアラ要求構成要素２１４を含むことができる。
【０１３９】
さらに、システム１１００は、電子的構成要素１１０４および１１０６に関連する機能を実行するための命令を保持するメモリ１１０８を含むことができる。メモリ１１０８の外部にあるものとして示されているが、電子的構成要素１１０４および１１０６のうちの１つまたは複数は、メモリ１１０８の内部に存在することができることを理解されたい。一例では、電子的構成要素１１０４および１１０６は、少なくとも１つのプロセッサを含むことができるか、または各電子的構成要素１１０４および１１０６は、少なくとも１つのプロセッサの対応するモジュールであり得る。その上、追加または代替の例では、構成要素１１０４および１１０６は、コンピュータ可読媒体を備えるコンピュータプログラム製品であり得、各構成要素１１０４および１１０６は、対応するコードであり得る。
【０１４０】
図１２を参照すると、ＢＥトラフィックのためのＧＢＲベアラ確立を要求するシステム１２００が示されている。たとえば、システム１２００は、少なくとも部分的にリレー内に常駐することができる。システム１２００は機能ブロックを含むものとして表されており、それらの機能ブロックは、プロセッサ、ソフトウェア／ファームウェア、またはそれらの組合せによって実装される機能を表す機能ブロックであり得ることを諒解されたい。システム１２００は、連携して動作することができる構成要素（たとえば、電子的構成要素）の論理グルーピング１２０２を含む。たとえば、論理グルーピング１２０２は、ドナーｅＮＢとのＢＥトラフィックに関係する１つまたは複数のパラメータを決定するための電子的構成要素を含むことができる（１２０４）。さらに、論理グルーピング１２０２は、１つまたは複数のパラメータと被サービスＵＥの数とに基づいてデータレートを指定するＧＢＲベアラをドナーｅＮＢに要求するための電子的構成要素を含むことができる（１２０６）。
【０１４１】
説明したように、たとえば、電子的構成要素１２０６は、さらに、ＧＢＲベアラの確立に続いて、更新パラメータ（たとえば、ＢＥトラフィックデータレート）を決定することに基づいて、ＧＢＲベアラの修正を要求することができる。たとえば、電子的構成要素１２０４はＢＥスループット決定構成要素３０８を含むことができる。さらに、たとえば、電子的構成要素１２０６は、一態様では、たとえば、ＧＢＲベアラ管理構成要素を含むことができる。
【０１４２】
さらに、システム１２００は、電子的構成要素１２０４および１２０６に関連する機能を実行するための命令を保持するメモリ１２０８を含むことができる。メモリ１２０８の外部にあるものとして示されているが、電子的構成要素１２０４および１２０６のうちの１つまたは複数は、メモリ１２０８の内部に存在することができることを理解されたい。一例では、電子的構成要素１２０４および１２０６は、少なくとも１つのプロセッサを含むことができるか、または各電子的構成要素１２０４および１２０６は、少なくとも１つのプロセッサの対応するモジュールであり得る。その上、追加または代替の例では、構成要素１２０４および１２０６は、コンピュータ可読媒体を備えるコンピュータプログラム製品であり得、各構成要素１２０４および１２０６は、対応するコードであり得る。
【０１４３】
図１３を参照すると、リレーｅＮＢによってサービスされるＵＥの数に基づいてリレーｅＮＢにＢＥトラフィックリソースを割り当てるシステム１３００が示されている。たとえば、システム１３００は、少なくとも部分的にドナーｅＮＢ内に常駐することができる。システム１３００は機能ブロックを含むものとして表されており、それらの機能ブロックは、プロセッサ、ソフトウェア／ファームウェア、またはそれらの組合せによって実装される機能を表す機能ブロックであり得ることを諒解されたい。システム１３００は、連携して動作することができる構成要素（たとえば、電子的構成要素）の論理グルーピング１３０２を含む。たとえば、論理グルーピング１３０２は、リレーｅＮＢからＢＥベアラについての要求を受信するための電子的構成要素を含むことができる（１３０４）。さらに、論理グルーピング１３０２は、リレーｅＮＢによってサービスされるＵＥの数を決定するための電子的構成要素を含むことができる（１３０６）。説明したように、たとえば、これは、電子的構成要素１３０４によって受信された要求におけるＱＣＩ、リレーｅＮＢまたはＯＡＭから受信された明示的指示などに基づいてＵＥの数を決定することを含むことができる。
【０１４４】
さらに、論理グルーピング１３０２はまた、リレーｅＮＢによってサービスされるＵＥの数に基づいてリレーｅＮＢの履歴スループットをディスカウントすることに少なくとも部分的に基づいて、リレーｅＮＢにＢＥベアラのためのリソースを割り当てるための電子的構成要素を含むことができる（１３０８）。説明したように、履歴スループットをディスカウントすることにより、リレーｅＮＢにリソースを割り当てるときに被サービスＵＥの数を考慮に入れることができる。たとえば、電子的構成要素１３０４は、上記で説明したように、ベアラ確立構成要素２２２を含むことができる。さらに、たとえば、電子的構成要素１３０６は、一態様では、上記で説明したように、接続カウント決定構成要素２２４を含むことができる。その上、電子的構成要素１３０８は、たとえば、ＢＥトラフィックスケジューリング構成要素を含むことができる。
【０１４５】
さらに、システム１３００は、電子的構成要素１３０４、１３０６、および１３０８に関連する機能を実行するための命令を保持するメモリ１３１０を含むことができる。メモリ１３１０の外部にあるものとして示されているが、電子的構成要素１３０４、１３０６、および１３０８のうちの１つまたは複数は、メモリ１３１０の内部に存在することができることを理解されたい。一例では、電子的構成要素１３０４、１３０６、および１３０８は、少なくとも１つのプロセッサを含むことができるか、または各電子的構成要素１３０４、１３０６、および１３０８は、少なくとも１つのプロセッサの対応するモジュールであり得る。その上、追加または代替の例では、構成要素１３０４、１３０６、および１３０８は、コンピュータ可読媒体を備えるコンピュータプログラム製品であり得、各構成要素１３０４、１３０６、および１３０８は、対応するコードであり得る。
【０１４６】
次に図１４を参照すると、本明細書で提示する様々な実施形態によるワイヤレス通信システム１４００が示されている。システム１４００は、複数のアンテナグループを含むことができる基地局１４０２を含む。たとえば、１つのアンテナグループはアンテナ１４０４および１４０６を含み、別のグループはアンテナ１４０８および１４１０を含み、さらなるグループはアンテナ１４１２および１４１４を含むことができる。アンテナグループごとに２つのアンテナが示されているが、グループごとにより多いまたはより少ないアンテナが利用され得る。基地局１４０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を含むことができる。
【０１４７】
基地局１４０２は、モバイルデバイス１４１６およびモバイルデバイス１４２２など、１つまたは複数のモバイルデバイスと通信することができるが、基地局１４０２は、モバイルデバイス１４１６および１４２２と同様の実質的にいかなる数のモバイルデバイスとも通信することができることを諒解されたい。モバイルデバイス１４１６および１４２２は、たとえば、セルラーフォン、スマートフォン、ラップトップ、ハンドヘルド通信デバイス、ハンドヘルドコンピューティングデバイス、衛星ラジオ、測位システム（たとえば、ＧＰＳ）、ＰＤＡ、タブレット、スマートブック、ネットブック、および／またはワイヤレス通信システム１４００を介して通信するための他の好適なデバイスであり得る。図示のように、モバイルデバイス１４１６は、アンテナ１４１２および１４１４と通信しており、アンテナ１４１２および１４１４は、順方向リンク１４１８を介して情報をモバイルデバイス１４１６に送信し、逆方向リンク１４２０を介してモバイルデバイス１４１６から情報を受信する。さらに、モバイルデバイス１４２２は、アンテナ１４０４および１４０６と通信しており、アンテナ１４０４および１４０６は、順方向リンク１４２４を介して情報をモバイルデバイス１４２２に送信し、逆方向リンク１４２６を介してモバイルデバイス１４２２から情報を受信する。周波数分割複信（ＦＤＤ）システムでは、たとえば、順方向リンク１４１８は、逆方向リンク１４２０によって使用される周波数帯とは異なる周波数帯を利用することができ、順方向リンク１４２４は、逆方向リンク１４２６によって使用される周波数帯とは異なる周波数帯を使用することができる。さらに、時分割複信（ＴＤＤ）システムでは、順方向リンク１４１８および逆方向リンク１４２０は共通の周波数帯を利用し、順方向リンク１４２４および逆方向リンク１４２６は共通の周波数帯を利用することができる。
【０１４８】
アンテナの各グループおよび／またはそれらが通信するように指定されたエリアは、基地局１４０２のセクタと呼ばれることがある。たとえば、アンテナグループは、基地局１４０２によってカバーされるエリアのセクタ中のモバイルデバイスと通信するように設計され得る。順方向リンク１４１８および１４２４を介した通信では、基地局１４０２の送信アンテナは、モバイルデバイス１４１６および１４２２についての順方向リンク１４１８および１４２４の信号対雑音比を向上させるためにビームフォーミングを利用することができる。さらに、基地局１４０２が、関連するカバレージエリア中に不規則に散在するモバイルデバイス１４１６および１４２２に送信するためにビームフォーミングを利用する間は、基地局が単一のアンテナを介してそれの基地局のすべてのモバイルデバイスに送信する場合と比較して、隣接セル内のモバイルデバイスは干渉を受けにくい。さらに、モバイルデバイス１４１６および１４２２は、ピアツーピアまたはアドホック技術を使用して互いに直接通信することができる。一例によれば、システム１４００は多入力多出力（ＭＩＭＯ）通信システムであり得る。
【０１４９】
さらに、システム１４００は、基地局１４０２から信号を受信し、その信号をモバイルデバイス１４１６に送信すること、および／またはその逆を可能にすることができるリレー１４２８を含む。たとえば、リレー１４２８は、順方向リンク１４３０を介して基地局１４０２から信号を受信することができ、その信号を順方向リンク１４３２を介してモバイルデバイス１４１６に送信することができる。したがって、たとえば、モバイルデバイス１４１６は、順方向リンク１４１８および／または１４３２を介して基地局１４０２に関係する信号を受信することができる。別の例では、リレー１４２８は、逆方向リンク１４３４を介してモバイルデバイス１４１６から信号を受信することができ、その信号を逆方向リンク１４３６を介して基地局１４０２に同様に送信することができる。リレー１４２８は、上記で説明したように、いくつかのモバイルデバイスをサービスすることができ、モバイルデバイスのためのＢＥリソースの割振りを要求する際に基地局１４０２にモバイルデバイスの数を示すことができる。
【０１５０】
図１５に、例示的なワイヤレス通信システム１５００を示す。ワイヤレス通信システム１５００には、簡潔のために、１つの基地局１５１０と、１つのモバイルデバイス１５５０とを示してある。ただし、システム１５００は、２つ以上の基地局および／または２つ以上のモバイルデバイスを含むことができ、追加の基地局および／またはモバイルデバイスは、以下で説明する例示的な基地局１５１０およびモバイルデバイス１５５０と実質的に同様または異なるものであり得ることを諒解されたい。さらに、基地局１５１０および／またはモバイルデバイス１５５０は、それらの間のワイヤレス通信を可能にするために、本明細書で説明するシステム（図１〜図４および図１０〜図１４）および／または方法（図５〜図９）を採用することができることを諒解されたい。たとえば、本明細書で説明するシステムおよび／または方法の構成要素または機能は、以下で説明するメモリ１５３２および／または１５７２あるいはプロセッサ１５３０および／または１５７０の一部であり得、ならびに／あるいは開示する機能を実行するためにプロセッサ１５３０および／または１５７０によって実行され得る。
【０１５１】
基地局１５１０において、いくつかのデータストリームのトラフィックデータがデータソース１５１２から送信（ＴＸ）データプロセッサ１５１４に与えられる。一例によれば、各データストリームは、それぞれのアンテナを介して送信され得る。ＴＸデータプロセッサ１５１４は、トラフィックデータストリーム用に選択された特定のコーディング方式に基づいてそのデータストリームをフォーマットし、コーディングし、インターリーブして、コード化データを与える。
【０１５２】
各データストリームのコード化データは、直交周波数分割多重化（ＯＦＤＭ）技法を使用してパイロットデータと多重化され得る。追加または代替として、パイロットシンボルは、周波数分割多重化（ＦＤＭ）、時分割多重化（ＴＤＭ）、または符号分割多重化（ＣＤＭ）され得る。パイロットデータは、一般に、知られている方法で処理される知られているデータパターンであり、チャネル応答を推定するためにモバイルデバイス１５５０において使用され得る。各データストリームの多重化されたパイロットおよびコード化データは、そのデータストリーム用に選択された特定の変調方式（たとえば、２位相偏移キーイング（ＢＰＳＫ）、４位相偏移キーイング（ＱＰＳＫ）、Ｍ位相偏移キーイング（Ｍ−ＰＳＫ）、多値直交振幅変調（Ｍ−ＱＡＭ）など）に基づいて変調（たとえば、シンボルマッピング）されて、変調シンボルが与えられ得る。各データストリームのデータレート、コーディング、および変調は、プロセッサ１５３０によって実行または提供される命令によって決定され得る。
【０１５３】
データストリームの変調シンボルはＴＸ  ＭＩＭＯプロセッサ１５２０に与えられ、ＴＸ  ＭＩＭＯプロセッサ１５２０は、（たとえば、ＯＦＤＭ用に）変調シンボルをさらに処理することができる。ＴＸ  ＭＩＭＯプロセッサ１５２０は、次いで、ＮT個の変調シンボルストリームをＮT個の送信機（ＴＭＴＲ）１５２２ａ〜１５２２ｔに与える。様々な実施形態では、ＴＸ  ＭＩＭＯプロセッサ１５２０は、データストリームのシンボルと、シンボルの送信元であるアンテナとにビームフォーミング重みを適用する。
【０１５４】
各送信機１５２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した被変調信号を与える。さらに、送信機１５２２ａ〜１５２２ｔからのＮT個の被変調信号は、それぞれＮT個のアンテナ１５２４ａ〜１５２４ｔから送信される。
【０１５５】
モバイルデバイス１５５０において、送信された被変調信号はＮR個のアンテナ１５５２ａ〜１５５２ｒによって受信され、各アンテナ１５５２からの受信信号は、それぞれの受信機（ＲＣＶＲ）１５５４ａ〜１５５４ｒに与えられる。各受信機１５５４は、それぞれの信号を調整（たとえば、フィルタ処理、増幅、およびダウンコンバート）し、調整された信号をデジタル化してサンプルを与え、さらにそれらのサンプルを処理して、対応する「受信」シンボルストリームを与える。
【０１５６】
ＲＸデータプロセッサ１５６０は、ＮR個の受信機１５５４からＮR個の受信シンボルストリームを受信し、特定の受信機処理技法に基づいて処理して、ＮT個の「検出」シンボルストリームを与えることができる。ＲＸデータプロセッサ１５６０は、各検出シンボルストリームを復調し、デインターリーブし、復号して、データストリームのトラフィックデータを復元することができる。ＲＸデータプロセッサ１５６０による処理は、基地局１５１０においてＴＸ  ＭＩＭＯプロセッサ１５２０およびＴＸデータプロセッサ１５１４によって実行される処理を補足するものである。
【０１５７】
逆方向リンクメッセージは、通信リンクおよび／または受信データストリームに関する様々なタイプの情報を備えることができる。逆方向リンクメッセージは、データソース１５３６からいくつかのデータストリームのトラフィックデータをも受信するＴＸデータプロセッサ１５３８によって処理され、変調器１５８０によって変調され、送信機１５５４ａ〜１５５４ｒによって調整され、基地局１５１０に戻され得る。
【０１５８】
基地局１５１０において、モバイルデバイス１５５０からの被変調信号は、アンテナ１５２４によって受信され、受信機１５２２によって調整され、復調器１５４０によって復調され、ＲＸデータプロセッサ１５４２によって処理されて、モバイルデバイス１５５０によって送信された逆方向リンクメッセージが抽出される。さらに、プロセッサ１５３０は、抽出されたメッセージを処理して、ビームフォーミング重みを決定するためにどのプリコーディング行列を使用すべきかを決定することができる。
【０１５９】
プロセッサ１５３０および１５７０は、それぞれ基地局１５１０およびモバイルデバイス１５５０における動作を指示（たとえば、制御、調整、管理など）することができる。それぞれのプロセッサ１５３０および１５７０は、プログラムコードおよびデータを記憶するメモリ１５３２および１５７２に結合され得る。別の例では、基地局１５１０の部分とデバイス１５５０の部分とが、本明細書で説明する機能を与えるためにリレー内に実装され得る。したがって、たとえば、プロセッサ１５３０および１５７０はまた、本明細書で説明する態様に基づいて（たとえば、ベアラ要求においてデバイスの数を示すこと、ＯＡＭにデバイスの数を示すこと、ＢＥトラフィックを処理するためにＧＢＲベアラを要求することなどに基づいて）ＢＥトラフィックのためのベアラ確立を要求および／または許可することができる。
【０１６０】
本明細書で開示する実施形態に関して説明した様々な例示的な論議、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１６１】
１つまたは複数の態様では、説明した機能、方法、またはアルゴリズムは、ハードウェア、ソフトウェア／ファームウェア、またはそれらの組合せで実装され得る。ソフトウェアで実装される場合、機能は、１つまたは複数の命令またはコードとして、コンピュータプログラム製品に組み込まれ得るコンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含まれるべきである。
【０１６２】
上記の開示は、例示的な態様および／または実施形態について論じたが、添付の特許請求の範囲によって定義された説明した態様および／または実施形態の範囲から逸脱することなく、様々な変更および改変を本明細書で行い得ることに留意されたい。さらに、説明した態様および／または実施形態の要素は、単数形で説明または請求されていることがあるが、単数形への限定が明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］  ドナー発展型ノードＢ（ｅＮＢ）からのベストエフォートリソーススケジューリングを要求するための方法であって、
被サービスＵＥの数の指示を送信することと、
被サービスＵＥの前記数に少なくとも部分的に基づいて前記被サービスＵＥのためのベストエフォートトラフィックを通信するためにベアラを確立するために要求を送信することと
を備える、方法。
［Ｃ２］  前記指示を前記送信することは、前記ベアラを確立するために前記要求において被サービスＵＥの前記数に対応するサービス品質クラス識別子を指定することを含む、Ｃ１に記載の方法。
［Ｃ３］  前記指示を前記送信することは、前記指示を運用、アドミニストレーション、および管理サーバに送信することを含む、Ｃ１に記載の方法。
［Ｃ４］  前記被サービスＵＥとの１つまたは複数のアクセスリンク上で前記ドナーｅＮＢに最大スループットの異なる指示を送信することをさらに備える、Ｃ１に記載の方法。
［Ｃ５］  前記ドナーｅＮＢに、１つまたは複数のアクセスリンクデータレートの異なる指示を送信することをさらに備える、Ｃ１に記載の方法。
［Ｃ６］  ドナー発展型ノードＢ（ｅＮＢ）からのベストエフォートリソーススケジューリングを要求するための装置であって、
少なくとも１つのプロセッサであって、
被サービスＵＥの数の指示を送信することと、
被サービスＵＥの前記数に少なくとも部分的に基づいて前記被サービスＵＥのためのベストエフォートトラフィックを通信するためにベアラを確立するために要求を送信することと
を行うように構成された少なくとも１つのプロセッサと、
前記少なくとも１つのプロセッサに結合されたメモリと
を備える、装置。
［Ｃ７］  前記少なくとも１つのプロセッサは、前記ベアラを確立するために前記要求において被サービスＵＥの前記数に対応するサービス品質クラス識別子を指定することに少なくとも部分的によって前記指示を送信する、Ｃ６に記載の装置。
［Ｃ８］  前記少なくとも１つのプロセッサは、前記指示を運用、アドミニストレーション、および管理サーバに送信する、Ｃ６に記載の装置。
［Ｃ９］  前記少なくとも１つのプロセッサは、前記被サービスＵＥとの１つまたは複数のアクセスリンク上で前記ドナーｅＮＢに最大スループットの異なる指示を送信するようにさらに構成された、Ｃ６に記載の装置。
［Ｃ１０］  前記少なくとも１つのプロセッサは、前記ドナーｅＮＢに、１つまたは複数のアクセスリンクデータレートの異なる指示を送信するようにさらに構成された、Ｃ６に記載の装置。
［Ｃ１１］  ドナー発展型ノードＢ（ｅＮＢ）からのベストエフォートリソーススケジューリングを要求するための装置であって、
被サービスＵＥの数の指示を送信するための手段と、
被サービスＵＥの前記数に少なくとも部分的に基づいて前記被サービスＵＥのためのベストエフォートトラフィックを通信するためにベアラを確立するために要求を送信するための手段と
を備える、装置。
［Ｃ１２］  前記指示を送信するための前記手段は、前記ベアラを確立するために前記要求において被サービスＵＥの前記数に対応するサービス品質クラス識別子を指定する、Ｃ１１に記載の装置。
［Ｃ１３］  前記指示を送信するための前記手段は、前記指示を運用、アドミニストレーション、および管理サーバに送信する、Ｃ１１に記載の装置。
［Ｃ１４］  前記被サービスＵＥとの１つまたは複数のアクセスリンク上で前記ドナーｅＮＢに最大スループットの異なる指示を送信するための手段をさらに備える、Ｃ１１に記載の装置。
［Ｃ１５］  前記ドナーｅＮＢに、１つまたは複数のアクセスリンクデータレートの異なる指示を送信するための手段をさらに備える、Ｃ１１に記載の装置。
［Ｃ１６］  ドナー発展型ノードＢ（ｅＮＢ）からのベストエフォートリソーススケジューリングを要求するためのコンピュータプログラム製品であって、
非一時的コンピュータ可読媒体であって、
被サービスＵＥの数の指示を送信することを少なくとも１つのコンピュータに行わせるためのコードと、
被サービスＵＥの前記数に少なくとも部分的に基づいて前記被サービスＵＥのためのベストエフォートトラフィックを通信するためにベアラを確立するために要求を送信することを前記少なくとも１つのコンピュータに行わせるためのコードと
を備える、非一時的コンピュータ可読媒体
を備える、コンピュータプログラム製品。
［Ｃ１７］  前記指示を送信することを前記少なくとも１つのコンピュータに行わせるための前記コードが、前記ベアラを確立するために前記要求において被サービスＵＥの前記数に対応するサービス品質クラス識別子を指定する、Ｃ１６に記載のコンピュータプログラム製品。
［Ｃ１８］  前記指示を送信することを前記少なくとも１つのコンピュータに行わせるための前記コードは、前記指示を運用、アドミニストレーション、および管理サーバに送信する、Ｃ１６に記載のコンピュータプログラム製品。
［Ｃ１９］  前記コンピュータ可読媒体は、前記被サービスＵＥとの１つまたは複数のアクセスリンク上で前記ドナーｅＮＢに最大スループットの異なる指示を送信することを前記少なくとも１つのコンピュータに行わせるためのコードをさらに備える、Ｃ１６に記載のコンピュータプログラム製品。
［Ｃ２０］  前記コンピュータ可読媒体は、前記ドナーｅＮＢに、１つまたは複数のアクセスリンクデータレートの異なる指示を送信することを前記少なくとも１つのコンピュータに行わせるためのコードをさらに備える、Ｃ１６に記載のコンピュータプログラム製品。
［Ｃ２１］  ドナー発展型ノードＢ（ｅＮＢ）からのベストエフォートリソーススケジューリングを要求するための装置であって、
被サービスＵＥの数の指示を送信するための接続数指示構成要素と、
被サービスＵＥの前記数に少なくとも部分的に基づいて前記被サービスＵＥのためのベストエフォートトラフィックを通信するためにベアラを確立するために要求を送信するためのベアラ要求構成要素と
を備える、装置。
［Ｃ２２］  前記接続数指示構成要素は、前記ベアラを確立するために前記要求において被サービスＵＥの前記数に対応するサービス品質クラス識別子を指定する、Ｃ２１に記載の装置。
［Ｃ２３］  前記接続数指示構成要素は、前記指示を運用、アドミニストレーション、および管理サーバに送信する、Ｃ２１に記載の装置。
［Ｃ２４］  前記被サービスＵＥとの１つまたは複数のアクセスリンク上で前記ドナーｅＮＢに最大スループットの異なる指示を送信するための最大スループット決定構成要素をさらに備える、Ｃ２１に記載の装置。
［Ｃ２５］  前記ドナーｅＮＢに、１つまたは複数のアクセスリンクデータレートの異なる指示を送信するためのアクセスリンクレート決定構成要素をさらに備える、Ｃ２１に記載の装置。
［Ｃ２６］  ドナー発展型ノードＢ（ｅＮＢ）からのベストエフォートリソーススケジューリングを要求するための方法であって、
ドナーｅＮＢとのベストエフォートトラフィックに関係する１つまたは複数のパラメータを決定することと、
前記１つまたは複数のパラメータと被サービスＵＥの数とに基づいてデータレートを指定する、前記ドナーｅＮＢからの保証ビットレート（ＧＢＲ）ベアラを要求することと
を備える、方法。
［Ｃ２７］  前記１つまたは複数のパラメータを前記決定することは、前記ドナーｅＮＢに関係するベストエフォートデータレートを決定することを備え、前記データレートを前記指定することは、被サービスＵＥの前記数で乗算された前記ベストエフォートデータレートを指定することを備える、Ｃ２６に記載の方法。
［Ｃ２８］  前記ドナーｅＮＢに関係する更新ベストエフォートデータレートを決定するために、前記ドナーｅＮＢとの前記ＧＢＲベアラの確立に続いて前記ドナーｅＮＢとのベストエフォートベアラをプローブすることと、
前記データレートを被サービスＵＥの前記数で乗算された前記更新ベストエフォートデータレートとして指定する、前記ＧＢＲベアラの修正を要求することと
をさらに備える、Ｃ２７に記載の方法。
［Ｃ２９］  前記ドナーｅＮＢとの前記ＧＢＲベアラを確立することと、
前記被サービスＵＥを、ベストエフォートトラフィックを通信するために前記ＧＢＲベアラのリソースにマッピングすることと
をさらに備える、Ｃ２６に記載の方法。
［Ｃ３０］  ドナー発展型ノードＢ（ｅＮＢ）からのベストエフォートリソーススケジューリングを要求するための装置であって、
少なくとも１つのプロセッサであって、
ドナーｅＮＢとのベストエフォートトラフィックに関係する１つまたは複数のパラメータを決定することと、
前記１つまたは複数のパラメータと被サービスＵＥの数とに基づいてデータレートを指定する、前記ドナーｅＮＢからの保証ビットレート（ＧＢＲ）ベアラを要求することと
を行うように構成された少なくとも１つのプロセッサと、
前記少なくとも１つのプロセッサに結合されたメモリと
を備える、装置。
［Ｃ３１］  前記少なくとも１つのプロセッサは、前記１つまたは複数のパラメータを前記ドナーｅＮＢに関係するベストエフォートデータレートとして決定し、前記データレートを被サービスＵＥの前記数で乗算された前記ベストエフォートデータレートとして指定する、Ｃ３０に記載の装置。
［Ｃ３２］  前記少なくとも１つのプロセッサは、
前記ドナーｅＮＢに関係する更新ベストエフォートデータレートを決定するために、前記ドナーｅＮＢとの前記ＧＢＲベアラの確立に続いて前記ドナーｅＮＢとのベストエフォートベアラをプローブすることと、
前記データレートを被サービスＵＥの前記数で乗算された前記更新ベストエフォートデータレートとして指定する、前記ＧＢＲベアラの修正を要求することと
を行うようにさらに構成された、Ｃ３１に記載の装置。
［Ｃ３３］  前記少なくとも１つのプロセッサは、
前記ドナーｅＮＢとの前記ＧＢＲベアラを確立することと、
前記被サービスＵＥを、ベストエフォートトラフィックを通信するために前記ＧＢＲベアラのリソースにマッピングすることと
を行うようにさらに構成された、Ｃ３０に記載の装置。
［Ｃ３４］  ドナー発展型ノードＢ（ｅＮＢ）からのベストエフォートリソーススケジューリングを要求するための装置であって、
ドナーｅＮＢとのベストエフォートトラフィックに関係する１つまたは複数のパラメータを決定するための手段と、
前記１つまたは複数のパラメータと被サービスＵＥの数とに基づいてデータレートを指定する、前記ドナーｅＮＢからの保証ビットレート（ＧＢＲ）ベアラを要求するための手段と
を備える、装置。
［Ｃ３５］  決定するための前記手段は、前記１つまたは複数のパラメータを前記ドナーｅＮＢに関係するベストエフォートデータレートとして決定し、要求するための前記手段は、前記データレートを被サービスＵＥの前記数で乗算された前記ベストエフォートデータレートとして指定する、Ｃ３４に記載の装置。
［Ｃ３６］  決定するための前記手段は、前記ドナーｅＮＢに関係する更新ベストエフォートデータレートを決定するために、前記ドナーｅＮＢとの前記ＧＢＲベアラの確立に続いて前記ドナーｅＮＢとのベストエフォートベアラをプローブし、要求するための前記手段は、前記データレートを被サービスＵＥの前記数で乗算された前記更新ベストエフォートデータレートとして指定する、前記ＧＢＲベアラの修正を要求する、Ｃ３５に記載の装置。
［Ｃ３７］  前記被サービスＵＥを、ベストエフォートトラフィックを通信するために前記ＧＢＲベアラのリソースにマッピングするための手段をさらに備え、要求するための前記手段は、前記ドナーｅＮＢとの前記ＧＢＲベアラを確立する、Ｃ３４に記載の装置。
［Ｃ３８］  ドナー発展型ノードＢ（ｅＮＢ）からのベストエフォートリソーススケジューリングを要求するためのコンピュータプログラム製品であって、
非一時的コンピュータ可読媒体であって、
ドナーｅＮＢとのベストエフォートトラフィックに関係する１つまたは複数のパラメータを決定することを少なくとも１つのコンピュータに行わせるためのコードと、
前記１つまたは複数のパラメータと被サービスＵＥの数とに基づいてデータレートを指定する、前記ドナーｅＮＢからの保証ビットレート（ＧＢＲ）ベアラを要求することを前記少なくとも１つのコンピュータに行わせるためのコードと
を備える、非一時的コンピュータ可読媒体
を備える、コンピュータプログラム製品。
［Ｃ３９］  決定することを前記少なくとも１つのコンピュータに行わせるための前記コードは、前記１つまたは複数のパラメータを前記ドナーｅＮＢに関係するベストエフォートデータレートとして決定し、要求することを前記少なくとも１つのコンピュータに行わせるための前記コードは、前記データレートを被サービスＵＥの前記数で乗算された前記ベストエフォートデータレートとして指定する、Ｃ３８に記載のコンピュータプログラム製品。
［Ｃ４０］  決定することを前記少なくとも１つのコンピュータに行わせるための前記コードは、前記ドナーｅＮＢに関係する更新ベストエフォートデータレートを決定するために、前記ドナーｅＮＢとの前記ＧＢＲベアラの確立に続いて前記ドナーｅＮＢとのベストエフォートベアラをプローブし、要求することを前記少なくとも１つのコンピュータに行わせるための前記コードは、前記データレートを被サービスＵＥの前記数で乗算された前記更新ベストエフォートデータレートとして指定する、前記ＧＢＲベアラの修正を要求する、Ｃ３９に記載のコンピュータプログラム製品。
［Ｃ４１］  前記コンピュータ可読媒体は、前記被サービスＵＥを、ベストエフォートトラフィックを通信するために前記ＧＢＲベアラのリソースにマッピングすることを前記少なくとも１つのコンピュータに行わせるためのコードをさらに備え、要求することを前記少なくとも１つのコンピュータに行わせるための前記コードは、前記ドナーｅＮＢとの前記ＧＢＲベアラを確立する、Ｃ３８に記載のコンピュータプログラム製品。
［Ｃ４２］  ドナー発展型ノードＢ（ｅＮＢ）からのベストエフォートリソーススケジューリングを要求するための装置であって、
ドナーｅＮＢとのベストエフォートトラフィックに関係する１つまたは複数のパラメータを決定するためのベストエフォートスループット決定構成要素と、
前記１つまたは複数のパラメータと被サービスＵＥの数とに基づいてデータレートを指定する、前記ドナーｅＮＢからの保証ビットレート（ＧＢＲ）ベアラを要求するためのベアラ要求構成要素と
を備える、装置。
［Ｃ４３］  前記ベストエフォートスループット決定構成要素は、前記１つまたは複数のパラメータを前記ドナーｅＮＢに関係するベストエフォートデータレートとして決定し、前記ベアラ要求構成要素は、前記データレートを被サービスＵＥの前記数で乗算された前記ベストエフォートデータレートとして指定する、Ｃ４２に記載の装置。
［Ｃ４４］  前記ベストエフォートスループット決定構成要素は、前記ドナーｅＮＢに関係する更新ベストエフォートデータレートを決定するために、前記ドナーｅＮＢとの前記ＧＢＲベアラの確立に続いて前記ドナーｅＮＢとのベストエフォートベアラをプローブし、前記ベアラ要求構成要素は、前記データレートを被サービスＵＥの前記数で乗算された前記更新ベストエフォートデータレートとして指定する、前記ＧＢＲベアラの修正を要求する、Ｃ４３に記載の装置。
［Ｃ４５］  前記被サービスＵＥを、ベストエフォートトラフィックを通信するために前記ＧＢＲベアラのリソースにマッピングするためのフローマッピング構成要素をさらに備え、前記ベアラ要求構成要素は、前記ドナーｅＮＢとの前記ＧＢＲベアラを確立する、Ｃ４２に記載の装置。
［Ｃ４６］  １つまたは複数のリレー発展型ノードＢ（ｅＮＢ）のためにベストエフォートリソースを割り当てるための方法であって、
リレーｅＮＢからベストエフォートベアラについての要求を受信することと、
前記リレーｅＮＢによってサービスされるＵＥの数を決定することと、
ＵＥの前記数だけ前記リレーｅＮＢの履歴スループットをディスカウントすることと、
前記ディスカウントされた履歴スループットに少なくとも部分的に基づいて前記リレーｅＮＢに前記ベストエフォートベアラのためのリソースを割り当てることと
を備える、方法。
［Ｃ４７］  ＵＥの前記数を前記決定することは、前記要求において指定されたサービス品質クラス識別子を取得することに少なくとも部分的に基づく、Ｃ４６に記載の方法。
［Ｃ４８］  ＵＥの前記数を前記決定することは、運用、アドミニストレーション、および管理サーバからのＵＥの前記数を要求することに少なくとも部分的に基づく、Ｃ４６に記載の方法。
［Ｃ４９］  前記リレーｅＮＢから受信されたパケットまたは前記リレーｅＮＢに送信されるパケット中の異なる識別子の数を決定するために前記パケットを検査することをさらに備え、ＵＥの前記数を前記決定することは、異なる識別子の前記数を決定することに少なくとも部分的に基づく、Ｃ４６に記載の方法。
［Ｃ５０］  前記リレーｅＮＢから最大スループットを受信することをさらに備え、前記リソースを前記割り当てることは、前記最大スループットに少なくとも部分的にさらに基づく、Ｃ４６に記載の方法。
［Ｃ５１］  前記リレーｅＮＢから１つまたは複数のアクセスリンクデータレートを受信することをさらに備え、前記リソースを前記割り当てることは、前記１つまたは複数のアクセスリンクデータレートに少なくとも部分的にさらに基づく、Ｃ４６に記載の方法。
［Ｃ５２］  １つまたは複数のリレー発展型ノードＢ（ｅＮＢ）のためにベストエフォートリソースを割り当てるための装置であって、
少なくとも１つのプロセッサであって、
リレーｅＮＢからベストエフォートベアラについての要求を受信することと、
前記リレーｅＮＢによってサービスされるＵＥの数を決定することと、
ＵＥの前記数だけ前記リレーｅＮＢの履歴スループットをディスカウントすることと、
前記ディスカウントされた履歴スループットに少なくとも部分的に基づいて前記リレーｅＮＢに前記ベストエフォートベアラのためのリソースを割り当てることと
を行うように構成された少なくとも１つのプロセッサと、
前記少なくとも１つのプロセッサに結合されたメモリと
を備える、装置。
［Ｃ５３］  前記少なくとも１つのプロセッサは、前記要求において指定されたサービス品質クラス識別子を決定することに少なくとも部分的に基づいてＵＥの前記数を決定する、Ｃ５２に記載の装置。
［Ｃ５４］  前記少なくとも１つのプロセッサは、運用、アドミニストレーション、および管理サーバからのＵＥの前記数を要求することに少なくとも部分的に基づいてＵＥの前記数を決定する、Ｃ５２に記載の装置。
［Ｃ５５］  前記少なくとも１つのプロセッサは、前記リレーｅＮＢから受信されたパケットまたは前記リレーｅＮＢに送信されるパケット中の異なる識別子の数を決定するために前記パケットを検査するようにさらに構成され、前記少なくとも１つのプロセッサは、異なる識別子の前記数に少なくとも部分的に基づいてＵＥの前記数を決定する、Ｃ５２に記載の装置。
［Ｃ５６］  前記少なくとも１つのプロセッサは、前記リレーｅＮＢから最大スループットを受信するようにさらに構成され、前記少なくとも１つのプロセッサは、前記最大スループットに少なくとも部分的にさらに基づいて前記リソースを割り当てる、Ｃ５２に記載の装置。
［Ｃ５７］  前記少なくとも１つのプロセッサは、前記リレーｅＮＢから１つまたは複数のアクセスリンクデータレートを受信するようにさらに構成され、前記少なくとも１つのプロセッサは、前記１つまたは複数のアクセスリンクデータレートに少なくとも部分的にさらに基づいて前記リソースを割り当てる、Ｃ５２に記載の装置。
［Ｃ５８］  １つまたは複数のリレー発展型ノードＢ（ｅＮＢ）のためにベストエフォートリソースを割り当てるための装置であって、
リレーｅＮＢからベストエフォートベアラについての要求を受信するための手段と、
前記リレーｅＮＢによってサービスされるＵＥの数を決定するための手段と、
前記リレーｅＮＢによってサービスされるＵＥの前記数に基づいて前記リレーｅＮＢの履歴スループットをディスカウントすることに少なくとも部分的に基づいて前記リレーｅＮＢに前記ベストエフォートベアラのためのリソースを割り当てるための手段と
を備える、装置。
［Ｃ５９］  決定するための前記手段は、前記要求において指定されたサービス品質クラス識別子を決定することに少なくとも部分的に基づいてＵＥの前記数を決定する、Ｃ５８に記載の装置。
［Ｃ６０］  決定するための前記手段は、運用、アドミニストレーション、および管理サーバからのＵＥの前記数を要求することに少なくとも部分的に基づいてＵＥの前記数を決定する、Ｃ５８に記載の装置。
［Ｃ６１］  決定するための前記手段は、前記リレーｅＮＢから受信されたパケットまたは前記リレーｅＮＢに送信されるパケット中の異なる識別子の数を決定するために前記パケットを検査し、異なる識別子の前記数に少なくとも部分的に基づいてＵＥの前記数を決定する、Ｃ５８に記載の装置。
［Ｃ６２］  前記リレーｅＮＢから最大スループットを受信するための手段をさらに備え、割り当てるための前記手段は、前記最大スループットに少なくとも部分的にさらに基づいて前記リソースを割り当てる、Ｃ５８に記載の装置。
［Ｃ６３］  前記リレーｅＮＢから１つまたは複数のアクセスリンクデータレートを受信するための手段をさらに備え、割り当てるための前記手段は、前記１つまたは複数のアクセスリンクデータレートに少なくとも部分的にさらに基づいて前記リソースを割り当てる、Ｃ５８に記載の装置。
［Ｃ６４］  １つまたは複数のリレー発展型ノードＢ（ｅＮＢ）のためにベストエフォートリソースを割り当てるためのコンピュータプログラム製品であって、
非一時的コンピュータ可読媒体であって、
リレーｅＮＢからベストエフォートベアラについての要求を受信することを少なくとも１つのコンピュータに行わせるためのコードと、
前記リレーｅＮＢによってサービスされるＵＥの数を決定することを前記少なくとも１つのコンピュータに行わせるためのコードと、
ＵＥの前記数だけ前記リレーｅＮＢの履歴スループットをディスカウントすることを前記少なくとも１つのコンピュータに行わせるためのコードと、
前記ディスカウントされた履歴スループットに少なくとも部分的に基づいて前記リレーｅＮＢに前記ベストエフォートベアラを割り当てることを前記少なくとも１つのコンピュータに行わせるためのコードと
を備える、非一時的コンピュータ可読媒体
を備える、コンピュータプログラム製品。
［Ｃ６５］  決定することを前記少なくとも１つのコンピュータに行わせるための前記コードは、前記要求において指定されたサービス品質クラス識別子を決定することに少なくとも部分的に基づいてＵＥの前記数を決定する、Ｃ６４に記載のコンピュータプログラム製品。
［Ｃ６６］  決定することを前記少なくとも１つのコンピュータに行わせるための前記コードは、運用、アドミニストレーション、および管理サーバからのＵＥの前記数を要求することに少なくとも部分的に基づいてＵＥの前記数を決定する、Ｃ６４に記載のコンピュータプログラム製品。
［Ｃ６７］  前記コンピュータ可読媒体は、前記リレーｅＮＢから受信されたパケットまたは前記リレーｅＮＢに送信されるパケット中の異なる識別子の数を決定するために前記パケットを検査することを前記少なくとも１つのコンピュータに行わせるためのコードをさらに備え、決定することを前記少なくとも１つのコンピュータに行わせるための前記コードは、異なる識別子の前記数に少なくとも部分的に基づいてＵＥの前記数を決定する、Ｃ６４に記載のコンピュータプログラム製品。
［Ｃ６８］  前記コンピュータ可読媒体は、前記リレーｅＮＢから最大スループットを受信することを前記少なくとも１つのコンピュータに行わせるためのコードをさらに備え、割り当てることを前記少なくとも１つのコンピュータに行わせるための前記コードは、前記最大スループットに少なくとも部分的にさらに基づいて前記リソースを割り当てる、Ｃ６４に記載のコンピュータプログラム製品。
［Ｃ６９］  前記コンピュータ可読媒体は、前記リレーｅＮＢから１つまたは複数のアクセスリンクデータレートを受信することを前記少なくとも１つのコンピュータに行わせるためのコードをさらに備え、割り当てることを前記少なくとも１つのコンピュータに行わせるための前記コードは、前記１つまたは複数のアクセスリンクデータレートに少なくとも部分的にさらに基づいて前記リソースを割り当てる、Ｃ６４に記載のコンピュータプログラム製品。
［Ｃ７０］  １つまたは複数のリレー発展型ノードＢ（ｅＮＢ）のためにベストエフォートリソースを割り当てるための装置であって、
リレーｅＮＢからベストエフォートベアラについての要求を受信するためのベアラ確立構成要素と、
前記リレーｅＮＢによってサービスされるＵＥの数を決定するための接続カウント決定構成要素と、
前記リレーｅＮＢによってサービスされるＵＥの前記数に基づいて前記リレーｅＮＢの履歴スループットをディスカウントすることに少なくとも部分的に基づいて前記リレーｅＮＢに前記ベストエフォートベアラのためのリソースを割り当てるためのベストエフォートトラフィックスケジューリング構成要素と
を備える、装置。
［Ｃ７１］  前記接続カウント決定構成要素は、前記要求において指定されたサービス品質クラス識別子を決定することに少なくとも部分的に基づいてＵＥの前記数を決定する、Ｃ７０に記載の装置。
［Ｃ７２］  前記接続カウント決定構成要素は、運用、アドミニストレーション、および管理サーバからのＵＥの前記数を要求することに少なくとも部分的に基づいてＵＥの前記数を決定する、Ｃ７０に記載の装置。
［Ｃ７３］  前記接続カウント決定構成要素は、前記リレーｅＮＢから受信されたパケットまたは前記リレーｅＮＢに送信されるパケット中の異なる識別子の数を決定するために前記パケットを検査し、異なる識別子の前記数に少なくとも部分的に基づいてＵＥの前記数を決定する、Ｃ７０に記載の装置。
［Ｃ７４］  前記リレーｅＮＢから最大スループットを受信するための最大スループット受信構成要素をさらに備え、前記ベストエフォートトラフィックスケジューリング構成要素は、前記最大スループットに少なくとも部分的にさらに基づいて前記リソースを割り当てる、Ｃ７０に記載の装置。
［Ｃ７５］  前記リレーｅＮＢから１つまたは複数のアクセスリンクデータレートを受信するためのアクセスリンクレート受信構成要素をさらに備え、前記ベストエフォートトラフィックスケジューリング構成要素は、前記１つまたは複数のアクセスリンクデータレートに少なくとも部分的にさらに基づいて前記リソースを割り当てる、Ｃ７０に記載の装置。
【図１】
0005932067.tif 000039
【図２】
0005932067.tif 000040
【図３】
0005932067.tif 000041
【図４】
0005932067.tif 000042
【図５】
0005932067.tif 000043
【図６】
0005932067.tif 000044
【図７】
0005932067.tif 000045
【図８】
0005932067.tif 000046
【図９】
0005932067.tif 000047
【図１０】
0005932067.tif 000048
【図１１】
0005932067.tif 000049
【図１２】
0005932067.tif 000050
【図１３】
0005932067.tif 000051
【図１４】
0005932067.tif 000052
【図１５】
0005932067.tif 000053